(57)【要約】電子レンジ用ドアスイッチの作成に際して、２つのスイッチを１つのスイッチケースに組込むことにより小型化が可能になり、またスイッチ部品の共通利用を図ることにより部品点数を削減して低コスト化を可能にする。さらに、ドアの開閉に連動して傾動する接点切換え構造に設けることにより、高精度のスイッチの切換え性能を実現できるようにする。第１傾動レバーの傾動時に、スイッチケース内部の導電接点片を弾性変位させて接点部間を切換える第１スイッチと、前記レバーの傾動時に、第１スイッチの接点部間を切換えるタイミングとは若干異なる別のタイミングで、前記スイッチケース内部の別の導電接点片を弾性変位させて接点部間を切換える第２スイッチと、第２傾動レバーの傾動時に、スイッチング操作される第３スイッチとを設ける。
2004102075.tif 000002
【特許請求の範囲】
【請求項１】
電子レンジの前面開口部を開閉するドアの開閉操作に応じて傾動する複数の傾動レバーの動きによって複数のスイッチを、時間差を付けてスイッチング操作する高周波加熱装置であって、
第１傾動レバーの傾動時に、該レバーの内端部に形成した第１カムを介してスイッチケース内部の導電接点片を弾性変位させて接点部間を切換える第１スイッチと、
前記第１傾動レバーの傾動時に、前記第１スイッチの接点部間を切換えるタイミングとは異なる別のタイミングで、該第１傾動レバーの内端部に形成した第２カムを介して前記スイッチケース内部の別の導電接点片を弾性変位させて接点部間を切換える第２スイッチと、
第２傾動レバーの傾動時に、該レバーの内端部に形成した第３カムを介してスイッチング操作する第３スイッチと、
を設けたことを特徴とする高周波加熱装置。
【請求項２】
電子レンジの前面開口部を開閉するドアと対応する本体フレームの内側にスイッチベースを取付け、このスイッチベースに、前記ドアの開閉操作に応じて異なるタイミングで傾動する第１傾動レバーと第２傾動レバーを取付け、前記両傾動レバーの動きによって前記スイッチベースに搭載されている３個のスイッチを、時間差を付けてスイッチング操作する高周波加熱装置であって、
前記第１傾動レバーの内端部には、スイッチケースに傾動自在に軸支される第１軸支部と、スイッチング操作用の第１カムと第２カムとを設け、該レバーの外端部には、前記ドアに取付けられたドアキーと対応する第１レバー受圧部を設け、前記第１カム側に向けて並列配置される複数の導電接点片を設け、前記第１傾動レバーの傾動時に前記第１カムに押圧されて弾性変位する第１導電接点片が第２導電接点片に接触して接点部間を切換える第１スイッチと、前記第２カム側に向けて並列配置される複数の導電接点片を設け、前記第１傾動レバーの傾動時に、前記第１スイッチの接点部間を切換えるタイミングとは異なる別のタイミングで、該第２カムが第３導電接点片に接していた第４導電接点片を押して離間させた後、該第４導電接点片を第５導電接点片に接触させて接点部間を切換える第２スイッチとの両スイッチをスイッチケースに内蔵して設け、
前記第２傾動レバーの内端部には、前記スイッチベースに傾動自在に軸支される第２軸支部と、前記スイッチベースに搭載されている第３スイッチの押しボタンに加圧対応させる第３カムとを設け、該第２傾動レバーの外端部には、前記ドアキーと対応する第２レバー受圧部を設けたことを特徴とする高周波加熱装置。
【請求項３】
前記第１スイッチと第２スイッチとの各々の導電接点片の外端部と、前記第３スイッチの外面に突出する端子の外端部とを同突出方向に揃えたことを特徴とする請求項１または２記載の高周波加熱装置。
【請求項４】
前記第１傾動レバーと第２傾動レバーは、レバーを軸支する軸支部からレバー外端部までの距離を長くとり、軸支部からレバー内端部までの距離を短くとって、前記各傾動レバーの軸支部を傾動支点とするレバー外端部側のレバー比をレバー内端部側のレバー比よりも大きく設定したことを特徴とする請求項１または２記載の高周波加熱装置。
【請求項５】
前記スイッチケースに前記第１傾動レバーを一体に組込んでなるスイッチユニットを構成したことを特徴とする請求項１または２記載の高周波加熱装置。
【請求項６】
前記スイッチケースはケース本体とケースカバーとを組合せて構成し、前記ケース本体と同形状の凹部を前記スイッチベースのスイッチケース取付け面に形成したことを特徴とする請求項１または２記載の高周波加熱装置。
【請求項７】
前記スイッチケースはケース本体とケースカバーとを組合せて構成し、前記ケースカバーと同形状のカバー部を前記スイッチベースのスイッチケース取付け面に形成したことを特徴とする請求項１または２記載の高周波加熱装置。
【請求項８】
食品を収納して加熱する加熱室と、前記加熱室に高周波を供給する高周波発生装置と、前記加熱室の開口面に対向し操作ピンを有する開閉自在な扉と、前記加熱室の加熱を行うための電源回路が導通するようにそれぞれ切り替わる複数のスイッチを有し、
前記操作ピンの動作に連動し前記加熱室側方に位置するスイッチ取付板に装着された第１レバーを介して動作する信号スイッチと、前記扉の開閉動作に連動し第２レバーを介して動作するメインスイッチと、を備え、前記信号スイッチは前記第１レバーを介して動作するショートスイッチを内蔵したことを特徴とする高周波加熱装置。
【請求項９】
食品を収納して加熱する加熱室と、前記加熱室に高周波を供給する高周波発生装置と、前記加熱室の開口面に対向し第１操作ピン及び第２操作ピンを有する開閉自在な扉と、前記加熱室の加熱を行うための電源回路が導通するようにそれぞれ切り替わる複数のスイッチを有し、
前記第１操作ピンの動作に連動し前記加熱室側方に位置するスイッチ取付板に装着された第１レバーを介して動作する信号スイッチと、前記第２操作ピンの動作に連動して前記加熱室の前板に装着されたピンガイド及び前記スイッチ取付板に装着された第２レバーを介して動作するメインスイッチと、を備え、前記信号スイッチは前記第１レバーを介して動作するショートスイッチを内蔵したことを特徴とする高周波加熱装置。
【請求項１０】
前記第１レバーを介して動作する前記信号スイッチと、前記ショートスイッチを内蔵したスイッチユニットは、前記加熱室の扉が開状態の場合、前記信号スイッチの接点がオフで、且つ前記ショートスイッチの接点がオン状態であり、前記加熱室の扉が閉じられると、前記第１レバーの第２操作部が前記ショートスイッチの可動接点部を押圧することで、前記ショートスイッチがオフからオンされた後に、第１レバーの第１操作部が前記信号スイッチの可動接点部を押圧してオンする構成としたことを特徴とする請求項８または９記載の高周波加熱装置。
【請求項１１】
前記スイッチユニットは、前記スイッチ取付板と、前記信号スイッチの接点部及び前記ショートスイッチの接点部を覆うスイッチカバーと、からなり、前記スイッチ取付板には、前記メインスイッチが装着され、且つ前記スイッチ取付板上に前記第１レバーの回転軸を設け、前記回転軸に前記第１レバーを挿入し、前記スイッチカバーで保持する構成としたことを特徴とする請求項１０記載の高周波加熱装置。
【請求項１２】
前記第１レバーからつたってきた液体の浸入を防止するために前記第１レバーの前記回転軸より前方に鍔を延ばしたことを特徴とする請求項１１記載の高周波加熱装置。
【請求項１３】
前記第１レバーからつたってきた液体の浸入による影響を受け難くするために前記第１レバーの前記回転軸より後方に前記スイッチユニット内部の接点部を設けたことを特徴とする請求項１１記載の高周波加熱装置。
【請求項１４】
前記第１レバーからつたってきた液体の浸入による影響を受け難くするために前記ショートスイッチの接点部を下側に設けたことを特徴とする請求項１１〜１３のいずれか一項記載の高周波加熱装置。
【請求項１５】
前記信号スイッチと前記ショートスイッチとを内蔵した前記スイッチユニットの動作位置を、前記第１レバーと前記スイッチユニットとの外装の色の違いにより示すインジケータを備えたことを特徴とする請求項１０〜１４のいずれか一項記載の高周波加熱装置。
【請求項１６】
前記信号スイッチと前記ショートスイッチとを内蔵した前記スイッチユニットの動作位置を、前記第１レバーと前記スイッチユニットとの外装に設けた印により示すインジケータを備えたことを特徴とする請求項１０〜１４のいずれか一項記載の高周波加熱装置。
【請求項１７】
前記信号スイッチと前記ショートスイッチとを内蔵した前記スイッチユニットの接続が誤配線されないようにするために前記スイッチユニットの外装の上側あるいは下側に突起を設けたことを特徴とする請求項１０〜１４のいずれか一項記載の高周波加熱装置。
【請求項１８】
前記ショートスイッチに構成される接点の内の前記ショートスイッチと前記メインスイッチとでショート回路を構成する接点の片側を略Ｒ形状に形成したことを特徴とする請求項１０〜１４のいずれか一項記載の高周波加熱装置。
【請求項１９】
前記第１レバーを可動させるためにできる前記スイッチ取付板と前記スイッチカバーとの隙間からの粉塵の侵入を防止するために前記スイッチ取付板の接点操作部を略櫛歯形状に形成したことを特徴とする請求項１１〜１８のいずれか一項記載の高周波加熱装置。
【請求項２０】
前記第１レバーを可動させるためにできる前記スイッチ取付板と前記スイッチカバーとの隙間からの粉塵の侵入を防止するために前記スイッチ取付板と前記第１レバーの接点操作部にグリス溜りを形成したことを特徴とする請求項１１〜１８のいずれか一項記載の高周波加熱装置。
【請求項２１】
前記スイッチカバーを透明にしたことを特徴とする請求項１１〜２０のいずれか一項記載の高周波加熱装置。
【請求項２２】
前記スイッチユニットに内蔵された前記信号スイッチ及び前記ショートスイッチの接点同士は接触後にずれてワイピングするように構成されていることを特徴とする請求項１０〜２１のいずれか一項記載の高周波加熱装置。
【請求項２３】
前記スイッチユニットに内蔵された前記ショートスイッチの接点片の弾性力により前記第１レバーを復帰させる構成としたことを特徴とする請求項１０〜２２のいずれか一項記載の高周波加熱装置。
【請求項２４】
前記メインスイッチは前記第２レバーに対向し該第２レバーの回転軸を基準として第２レバーを操作する第２操作ピンあるいは第２操作キー側に配置したことを特徴とする請求項９〜２３のいずれか一項記載の高周波加熱装置。
【請求項２５】
前記第２レバーが押圧された際に前記第１レバーを押圧して、前記ショートスイッチがオフされた後に、前記メインスイッチをオンするための突起部を前記第２レバーに設けたことを特徴とする請求項９〜２４のいずれか一項記載の高周波加熱装置。
【発明の詳細な説明】
【技術分野】  本発明は、高周波加熱装置のドアの開閉に連動してスイッチング操作される複数のスイッチを効率よく組込んで小型化およびスイッチの切換え性能の向上を図った高周波加熱装置に関する。
【背景技術】  以下、高周波加熱装置である電子レンジのドアスイッチ機構を例にとって説明すると、この電子レンジのドアスイッチ機構は、電子レンジを使用したときの安全性を考慮してラッチスイッチ、ドアスイッチ、モニタスイッチの３種類のスイッチを内蔵し、これらのスイッチをドアの開閉に連動して、時間差をつけてオン・オフ信号が得られるようにスイッチング操作をしている。
例えば、電子レンジの前面開口部を開閉するドアの内面に取付けたドアキーを、電子レンジの本体側に取付けたマイクロスイッチなどのスイッチに対向させ、ドアの閉操作時にドアキーを本体側のスイッチに直接対応させてスイッチング操作している。
ところが、この場合はスイッチの取付け位置のバラツキによって、各々のスイッチを動作させるタイミングがズレたり、ドアを勢いよく閉じたときの衝撃動作等でスイッチに過大な力が加わることがあり、このためにスイッチ特性を変動させる原因を誘起して正常なスイッチの動作が得られなくなる恐れがあった。
また、電子レンジのドアの内面に取付けた２つの操作ピンを、本体側に対向する２つのレバーにそれぞれ対向させて配設し、ドアの開閉に応じて操作ピンおよびレバーを介した内部位置のマイクロスイッチをスイッチング操作するドアスイッチ機構が知られている（特開平１１−２１４１４７号）。
しかし、この場合は長いレバーを要するため、ドアスイッチ機構の全体が大型化し、また部品点数が多いためにコスト高になっていた。さらに、マイクロスイッチを使用した場合は、取付け方向により３個のマイクロスイッチの各端子の向きが、それぞれ異方向に向くため配線作業に手間がかかっていた。
そこでこの発明は、２つのスイッチを１つのスイッチケースに組込むことにより小型化が可能になり、またスイッチ部品の共通利用を図ることにより部品点数を削減して低コスト化が可能になる。さらに、ドアの開閉に連動して傾動する接点切換え構造に設けることにより、高精度のスイッチの切換え性能が得られる電子レンジ用ドアスイッチを提供することを目的とする。
【発明の開示】
この発明は、電子レンジの前面開口部を開閉するドアの開閉操作に応じて傾動する複数の傾動レバーの動きによって複数のスイッチを、時間差を付けてスイッチング操作する電子レンジ用ドアスイッチであって、第１傾動レバーの傾動時に、該レバーの内端部に形成した第１カムを介してスイッチケース内部の導電接点片を弾性変位させて接点部間を切換える第１スイッチと、前記第１傾動レバーの傾動時に、前記第１スイッチの接点部間を切換えるタイミングとは異なる別のタイミングで、該第１傾動レバーの内端部に形成した第２カムを介して前記スイッチケース内部の別の導電接点片を弾性変位させて接点部間を切換える第２スイッチと、第２傾動レバーの傾動時に、該レバーの内端部に形成した第３カムを介してスイッチング操作する第３スイッチとを設けたことを特徴とする。
この発明によれば、１つのスイッチケースに２つのスイッチを組込むことができ、特に第１傾動レバーの動きに連動させて２つのスイッチをオンオフするスイッチング動作ができるため、第１傾動レバーを２つのスイッチの共通部品として有効利用でき、コンパクトに製作できる。ことに、第１傾動レバーの内端部に形成した第１カムと第２カムをスイッチング操作部材に兼用させることができるため、第１傾動レバーは単一の部品でありながらレバー機能とカム機能とを有して、スイッチの部品点数を削減できる。また、部品点数の削減に伴うスイッチの小型化および低コスト化を図ることができる。
また、第１傾動レバーが傾動する位置に対応させて、複数の接点部間を、時間差をつけて切換えるようにすれば、その切換えタイミングを所望のタイミングに設定できる。したがって、各スイッチに対しては傾動操作に伴う高精度のタイミングで接点部間の切換え操作ができる。
前記導電接点片は弾性を有する板バネの導電片を用いればよく、導電接点片同士の接離に適した任意の弯曲形状あるいは屈曲形状にして、該導電接点片自体に弾性復帰力を持たせることができる。また、第１傾動レバーの傾動力に連動させて、各導電接点片の接点部間を押し拡げる方向と狭める方向とに弾性変位させれば、接点部間を確実に接離させることができる。また、導電接点片同士を摺接させるように構成すれば、接点部間の焼付き排除性能を得ることができるなど信頼性の高い安定した接点切換え構造が得られる。
この発明の他の形態として、電子レンジの前面開口部を開閉するドアと対応する本体フレームの内側にスイッチベースを取付け、このスイッチベースに、前記ドアの開閉操作に応じて異なるタイミングで傾動する第１傾動レバーと第２傾動レバーを取付け、前記両傾動レバーの動きによって前記スイッチベースに搭載されている３個のスイッチを、時間差を付けてスイッチング操作する電子レンジ用ドアスイッチであって、前記第１傾動レバーの内端部には、スイッチケースに傾動自在に軸支される第１軸支部と、スイッチング操作用の第１カムと第２カムとを設け、該レバーの外端部には、前記ドアに取付けられたドアキーと対応する第１レバー受圧部を設け、前記第１カム側に向けて並列配置される複数の導電接点片を設け、前記第１傾動レバーの傾動時に前記第１カムに押圧されて弾性変位する第１導電接点片が第２導電接点片に接触して接点部間を切換える第１スイッチと、前記第２カム側に向けて並列配置される複数の導電接点片を設け、前記第１傾動レバーの傾動時に、前記第１スイッチの接点部間を切換えるタイミングとは異なる別のタイミングで、該第２カムが第３導電接点片に接していた第４導電接点片を押して離間させた後、該第４導電接点片を第５導電接点片に接触させて接点部間を切換える第２スイッチとの両スイッチをスイッチケースに内蔵して設け、前記第２傾動レバーの内端部には、前記スイッチベースに傾動自在に軸支される第２軸支部と、前記スイッチベースに搭載されている第３スイッチの押しボタンに加圧対応させる第３カムとを設け、該第２傾動レバーの外端部には、前記ドアキーと対応する第２レバー受圧部を設けて構成することができる。
この場合も１つのスイッチケースに２つのスイッチを内蔵しているため、スイッチケースおよび第１傾動レバーを２つのスイッチの共通部品に利用できる。さらに、第１スイッチをオンオフするスイッチング動作と第２スイッチをオンオフするスイッチング動作との動作タイミングを、第１傾動レバーを傾動操作したときの各位置に正確に対応させることができる。例えば、第１傾動レバーの傾動操作時に、先に第１スイッチの接点部間を切換え、その後、少し遅れたタイミングで第２スイッチの接点部間を切換えるように設定できる。
また、導電接点片の配設方向に際しても、第１傾動レバーの第１軸支部を中心に放射状に導電接点片を配設しているため、この第１軸支部を中心に傾動する該第１傾動レバーの第１カムと第２カムとを効率よく導電接点片に対応させることができる。
この発明の他の形態として、前記第１スイッチと第２スイッチとの各々の導電接点片の外端部と、前記第３スイッチの外面に突出する端子の外端部とを同突出方向に揃えて構成することができる。
この場合は、全スイッチの導電接点片や端子の各外端部を同方向に揃えて突出させることができるため配線作業が容易になり、配線工数の低減を図ることができる。ことに、端子の外端部を同方向の同高さに揃えて突出させれば、より一層、配線作業が容易になる。
この発明の他の形態として、前記第１傾動レバーと第２傾動レバーは、レバーを軸支する軸支部からレバー外端部までの距離を長くとり、軸支部からレバー内端部までの距離を短くとって、前記各傾動レバーの軸支部を傾動支点とするレバー外端部側のレバー比をレバー内端部側のレバー比よりも大きく設定して構成することができる。
この場合は、レバー外端部側のレバー比を大きく設定してあるため、てこの原理により軸支部を傾動支点とする該レバー外端部側からの傾動操作力が小さくても、レバー内端部側には十分な傾動操作力を伝えることができる。従って、第１傾動レバーと第２傾動レバーとは傾動時の負荷抵抗が小さく、滑らかな動きが得られる。
この発明の他の形態として、前記スイッチケースに、前記第１傾動レバーを一体に組込んでなるスイッチユニットを構成することができる。
このスイッチユニットは、スイッチケースと第１傾動レバーとの２部品でありながら単品として扱うことができ、スイッチベースへの組立が容易になる。また、２部品を単品として予め組立てておくことができるため取扱いや管理も容易になる。
この発明の他の形態として、前記スイッチケースはケース本体とケースカバーとを組合せて構成し、前記ケース本体と同形状の凹部を前記スイッチベースのスイッチケース取付け面に形成することができる。
この場合は、２つのスイッチを組込むスイッチ収納部としてのケース本体と同形状の凹部をスイッチベースに既に形成してあるため、ここにスイッチ構成部品を直接組込むことができ、スイッチベースの一部でケース本体を代用できる。そして、この凹部の開放面にケースカバーを取付ければスイッチケースを構成することができる。従って、ケース本体を省略でき、部品点数の削減につながる。
この発明の他の形態として、前記スイッチケースはケース本体とケースカバーとを組合せて構成し、前記ケースカバーと同形状のカバー部を前記スイッチベースのスイッチケース取付け面に形成することができる。
この場合は、スイッチベースにケースカバーと同形状のカバー部が既に形成されているため、ここにケース本体を取付けるだけでスイッチケースを構成することができる。この場合もスイッチベースの一部でケースカバーを代用できるため、ケースカバーを省略して部品点数を削減できる。
この発明の他の構成として、食品を収納して加熱する加熱室と、前記加熱室に高周波を供給する高周波発生装置と、前記加熱室の開口面に対向し操作ピンを有する開閉自在な扉と、前記加熱室の加熱を行うための電源回路が導通するようにそれぞれ切り替わる複数のスイッチを有し、前記操作ピンの動作に連動し前記加熱室側方に位置するスイッチ取付板に装着された第１レバーを介して動作する信号スイッチと、前記扉の開閉動作に連動し第２レバーを介して動作するメインスイッチと、を備え、前記信号スイッチは前記第１レバーを介して動作するショートスイッチを内蔵したことを特徴とする。
この発明によれば、信号スイッチがショートスイッチを内蔵しているために、信号スイッチ用のマイクロスイッチと、ショートスイッチ用のマイクロスイッチと、を独立して備える必要がなくなって、簡潔な構造となるとともに、スペース的にも有利になって省スペース化を図ることができる。
この発明の他の構成として、食品を収納して加熱する加熱室と、前記加熱室に高周波を供給する高周波発生装置と、前記加熱室の開口面に対向し第１操作ピン及び第２操作ピンを有する開閉自在な扉と、前記加熱室の加熱を行うための電源回路が導通するようにそれぞれ切り替わる複数のスイッチを有し、前記第１操作ピンの動作に連動し前記加熱室側方に位置するスイッチ取付板に装着された第１レバーを介して動作する信号スイッチと、前記第２操作ピンの動作に連動して前記加熱室の前板に装着されたピンガイド及び前記スイッチ取付板に装着された第２レバーを介して動作するメインスイッチと、を備え、前記信号スイッチは前記第１レバーを介して動作するショートスイッチを内蔵したことを特徴とする。
この発明によれば、信号スイッチは、第１操作ピンの動作に連動し、加熱室側方に位置するスイッチ取付板に装着された第１レバーにより動作され、メインスイッチは、第２操作ピンの動作に連動し、加熱室の前板に装着されたピンガイド及びスイッチ取付板に装着された第２レバーにより動作される。そして、信号スイッチが、第１レバーを介して動作するショートスイッチを内蔵している。そのために、第１レバーにより、信号スイッチおよびショートスイッチを異なる時期に作動させることを容易に設定できる。
この発明の他の構成として、前記第１レバーを介して動作する前記信号スイッチと、前記ショートスイッチを内蔵したスイッチユニットは、前記加熱室の扉が開状態の場合、前記信号スイッチの接点がオフで、且つ前記ショートスイッチの接点がオン状態であり、前記加熱室の扉が閉じられると、前記第１レバーの第２操作部が前記ショートスイッチの可動接点部を押圧することで、前記ショートスイッチがオフからオンされた後に、第１レバーの第１操作部が前記信号スイッチの可動接点部を押圧してオンする構成としたことを特徴とする。
この発明によれば、加熱室の扉が閉じられたときに、第１レバーの第２操作部がショートスイッチの可動接点部を押圧してオフからオンしてから、第１レバーの第１操作部が信号スイッチの可動接点部を押圧してオンするために、ショートスイッチのオフから、信号スイッチのオンまでの間に予め定められた時間を設定することにより、扉の閉状態が確定されてからでないと、加熱室が作動しないようにできる。
この発明の他の構成として、前記スイッチユニットは、前記スイッチ取付板と、前記信号スイッチの接点部及び前記ショートスイッチの接点部を覆うスイッチカバーと、からなり、前記スイッチ取付板には、前記メインスイッチが装着され、且つ前記スイッチ取付板上に前記第１レバーの回転軸を設け、前記回転軸に前記第１レバーを挿入し、前記スイッチカバーで保持する構成としたことを特徴とする。
この場合は、スイッチ取付板に対して、スイッチカバーが装着されることによりスイッチユニットが被覆され、回転軸に対して第１レバーが挿入されることにより第１レバーが支持されるために、スイッチ取付板への組付けのみによる作業になり、それによって、自動組み付けの構造を簡潔にすることができる。
この発明の他の構成として、前記第１レバーからつたってきた液体の浸入を防止するために前記第１レバーの前記回転軸より前方に鍔を延ばしたことを特徴とする。
この場合は、第１レバーをつたってきた肉汁や水滴等の液体は、回転軸より前方に延ばされた鍔によってスイッチユニット内に浸入することがなく、外部へ除去されるので、スイッチユニット内に液体が浸入せずに、接点の腐食等、から起こりうる誤作動を回避することができる。
この発明の他の構成として、前記第１レバーからつたってきた液体の浸入による影響を受け難くするために前記第１レバーの前記回転軸より後方に前記スイッチユニット内部の接点部を設けたことを特徴とする。
この場合は、スイッチユニット内部の接点部が回転軸より後方に配置されているために、第１レバーをつたってきた肉汁や水滴等の液体がスイッチユニット内に浸入することがないので、接点の腐食等、から起こりうる誤作動を回避することができる。
この発明の他の構成として、前記第１レバーからつたってきた液体の浸入による影響を受け難くするために前記ショートスイッチの接点部を下側に設けたことを特徴とする。
この場合は、ショートスイッチの接点部が下側に配置されているために、第１レバーをつたってきた肉汁や水滴等の液体の進行路から離れており、それによって、液体の浸入による影響を受け難くすることができる。
この発明の他の構成として、前記信号スイッチと前記ショートスイッチとを内蔵した前記スイッチユニットの動作位置を、前記第１レバーと前記スイッチユニットとの外装の色の違いにより示すインジケータを備えたことを特徴とする。
この場合は、第１レバーとスイッチユニットとの外装の色を異なるようにすることで、接点のオン・オフ状態を確認することができる。
この発明の他の構成として、前記信号スイッチと前記ショートスイッチとを内蔵した前記スイッチユニットの動作位置を、前記第１レバーと前記スイッチユニットとの外装に設けた印により示すインジケータを備えたことを特徴とする。
この場合は、第１レバーとスイッチユニットとに設けた印によって、接点のオン・オフ状態を確認することができる。
この発明の他の構成として、前記信号スイッチと前記ショートスイッチとを内蔵した前記スイッチユニットの接続が誤配線されないようにするために前記スイッチユニットの外装の上側あるいは下側に突起を設けたことを特徴とする。
この場合は、スイッチユニットの上側あるいは下側に設けた突起により、スイッチユニット内の信号スイッチおよびショートスイッチに接続されるコネクタが誤組み付けされないために、コネクタを確実に組み付けることができる。
この発明の他の構成として、前記ショートスイッチに構成される接点の内の前記ショートスイッチと前記メインスイッチとでショート回路を構成する接点の片側を略Ｒ形状に形成したことを特徴とする。
この場合は、ショート回路を構成する接点がショートする時に、接点の片側が略Ｒ形状に形成されているために、接点間で発生するアーク電流が均等に流れることにより、接点が飛散することがなくなり、確実にショート回路を形成することができる。
この発明の他の構成として、前記第１レバーを可動させるためにできる前記スイッチ取付板と前記スイッチカバーとの隙間からの粉塵の侵入を防止するために前記スイッチ取付板の接点操作部を略櫛歯形状に形成したことを特徴とする。
この場合は、スイッチ取付板の接点操作部が略櫛歯形状に形成されているために、スイッチ取付板とスイッチカバーとが迷路状になっており、それにより、スイッチ取付板とスイッチカバーとの隙間からの粉塵の侵入を防止することができる。
この発明の他の構成として、前記第１レバーを可動させるためにできる前記スイッチ取付板と前記スイッチカバーとの隙間からの粉塵の侵入を防止するために前記スイッチ取付板と前記第１レバーの接点操作部にグリス溜りを形成したことを特徴とする。
この場合は、第１レバーの接点操作部に形成されたグリス溜りによって、第１レバーを可動させるためにできるスイッチ取付板とスイッチカバーとの隙間からの粉塵の侵入を防止することができる。
この発明の他の構成として、前記スイッチカバーを透明にしたことを特徴とする。
この場合は、透明なスイッチカバーにより、内部の接点状態を直接確認することができる。
この発明の他の構成として、前記スイッチユニットに内蔵された前記信号スイッチ及び前記ショートスイッチの接点同士は接触後にずれてワイピングするように構成されていることを特徴とする。
この場合は、信号スイッチの接点同士およびショートスイッチの接点同士が接触時にずれてワイピングされるために、各接点が常に洗浄されて、アークを発生させないようにし、電流による接点の溶着を防止することができる。
この発明の他の構成として、前記スイッチユニットに内蔵された前記ショートスイッチの接点片の弾性力により前記第１レバーを復帰させる構成としたことを特徴とする。
この場合は、第１レバーはショートスイッチの接点片の弾性反発力によって復帰動作をするようにすれば、第１レバーに戻しばね等の復帰部材を内蔵する必要がなくなって、部品点数の減少を図ることができる。
この発明の他の構成として、前記メインスイッチは前記第２レバーに対向し該第２レバーの回転軸を基準として第２レバーを操作する第２操作ピンあるいは第２操作キー側に配置したことを特徴とする。
この場合は、メインスイッチが第２レバーの接線上に配置されるために、第２レバーは、メインスイッチに内蔵されるスイッチ戻し機構によって直接戻し動作を行うことができ、それによって、第２レバーに内蔵される戻しばね等を省略して、部品点数を減少することができる。
この発明の他の構成として、前記第２レバーが押圧された際に前記第１レバーを押圧して、前記ショートスイッチがオフされた後に、前記メインスイッチをオンするための突起部を前記第２レバーに設けたことを特徴とする。
この場合は、第２レバーの回動に伴い、突起部によって第１レバーを回動させてショートスイッチをオフした後に、メインスイッチをオンすることにより、ドアが開いている状態で第２レバーが強制的に押されても（故意に押されても）ショート回路中のヒューズが溶断しないようにできる。
【図面の簡単な説明】  図１は本発明の第１実施形態の高周波加熱装置に用いられる電子レンジ用ドアスイッチの一壁面側を示す外観斜視図であり、図２は電子レンジ用ドアスイッチの他壁面側を示す外観斜視図である。
図３は電子レンジ用ドアスイッチを一壁面側から見た分解斜視図であり、図４は電子レンジ用ドアスイッチを他壁面側から見た分解斜視図である。
図５はスイッチユニットを示す外観斜視図であり、図６スイッチユニットの内部構造を示す分解斜視図である。
図７はスイッチユニットの組込み状態を示す斜視図であり、図８スイッチユニットの内部の接点構造を示す正面図である。
図９はスイッチユニットの接点切換え状態を示す動作説明図であり、図１０は第１傾動レバーと第２傾動レバーの傾動状態を示す斜視図である。
図１１は電子レンジ用ドアスイッチの組込み状態を示す要部斜視図であり、図１２は電子レンジ用ドアスイッチの電気回路図である。
図１３は電子レンジ用ドアスイッチのタイムチャートであり、図１４は他の実施の形態のスイッチベースにケース本体を代用させた状態を示す分解斜視図である。
図１５は他の実施の形態のスイッチベースにケースカバーを代用させた状態を示す分解斜視図であり、図１６は本発明の第２実施形態の高周波加熱装置に用いられる電子レンジ用ドアスイッチを一方の面から見た外観斜視図である。
図１７は図１６の電子レンジ用ドアスイッチを他方の面から見た外観斜視図であり、図１８は図１６に示した電子レンジ用ドアスイッチの分解斜視図である。
図１９は図１７に示した電子レンジ用ドアスイッチの分解斜視図であり、図２０は図１６に示した電子レンジ用ドアスイッチにおけるメインスイッチの断面図である。
図２１は回路構成における不具合例であり、図２２は本発明の回路構成図である。図２３（ａ）〜（ｃ）、図２４（ａ）〜（ｃ）および図２５（ａ）〜（ｄ）は第２実施形態の動作説明図である。
なお、図中の符号、１１，１４１，１５１，２００は電子レンジ用ドアスイッチ、１３，１４４はスイッチユニット、１５はスイッチケース、１６，１４６，１５５は第１傾動レバー、２４は第２傾動レバー、１４３はスイッチ収納部、１５３はカバー部、２０１はスイッチ取付板、２０２はスイッチユニット、２０３は第１レバー、２０４は第２レバー、２０５はメインスイッチ（スイッチ）、２０７，２０８は回転軸、２１６はスイッチカバー、２３７は鍔、２３８はグリス溜り、２４０は突起部、２５０は信号スイッチ（スイッチ）、２５３はショートスイッチ（スイッチ）、Ｃ１，Ｃ２はカム、ＳＷ１はラッチスイッチ、ＳＷ２はモニタスイッチ、ＳＷ３はドアスイッチである。
【発明を実施するための最良の形態】  以下、本発明の高周波加熱装置に係る複数の好適な実施の形態例を図面に基づいて詳細に説明する。
（第１実施形態）
図１および図２に示すように、本発明の第１実施形態である高周波加熱装置に用いられる電子レンジ用ドアスイッチ１１は、縦長の基板を起立して設けたスイッチベース１２の一壁面に、スイッチユニット１３と、マイクロスイッチ（以下ラッチスイッチと称す）ＳＷ１を取付け、他壁面にラッチスイッチ機構１４を取付けて構成している。
上述のスイッチユニット１３は、図３に示すように、スイッチケース１５に逆Ｌ形状の第１傾動レバー１６の下端部を組込んで一体に構成し、このスイッチケース１５の内部に後述する第３スイッチであるモニタスイッチＳＷ２と第１スイッチであるドアスイッチＳＷ３との両スイッチを並列に組込んでいる。そして、両スイッチを操作するための第１傾動レバー１６をスイッチケース１５に突出させた状態で、該スイッチケース１５をスイッチベース１２の一壁面の上部に取付けている。
このスイッチベース１２の一壁面の上部には、第１〜第３円筒軸１７ａ〜１７ｃを突設し、またスイッチベース１２の一壁面の下部には第４円筒軸１７ｄを突設している。このうち、第１円筒軸１７ａをスイッチユニット１３に挿通させた状態で、スイッチベース１２の一壁面の上部に突出する数個の係止爪１８にて、該スイッチユニット１３の外周囲を抜止め係止し、これによりスイッチユニット１３をスイッチベース１２に一体に取付けている。
上述の第１円筒軸１７ａをスイッチケース１５の取付け方向に貫通して設けた挿通孔１９に挿通させて、該スイッチケース１５をスイッチベース１２に位置決め固定して取付けている。
また、第２円筒軸１７ｂを第１傾動レバー１６に開口した長孔２０を挿通させて第１傾動レバー１６の動きに支障がないようにし、同様に第３円筒軸１７ｃも第１傾動レバー１６が傾動する範囲を避けた位置に突出させている。さらに、第２円筒軸１７ｂ〜第４円筒軸１７ｄは、その穴部がスイッチベース１２を電子レンジの図示しない筐体への取付けに用いられる。
さらに、スイッチベース１２の一壁面の上部に傾動許容爪２１を突設し、この傾動許容爪２１に第１傾動レバー１６の中間高さ位置に傾動方向に沿って開口した円弧形ガイド溝２２が係合して傾動ガイドされる。
上述の第１傾動レバー１６は下端部が、後述するスイッチケース１５の内部に組込まれて傾動自由に軸支され、この内部の軸支部を傾動支点に、該レバー上端部の第１レバー受圧部として突出する受圧突起２３が後述するドアを閉じたときのドアキーからの外力を受けて傾動される。この軸支部を傾動支点に傾動したとき、該レバー１６の下端面に形成した後述する第１カムと第２カムが後述するそれぞれのスイッチＳＷ２，ＳＷ３のスイッチング操作を行う。
一方、ラッチスイッチ機構１４は、第２スイッチであるラッチスイッチＳＷ１と、第２傾動レバー２４とを組合せて構成される。ラッチスイッチＳＷ１は、スイッチベース１２の他壁面に突出する一対の取付け軸２５に、該ラッチスイッチＳＷ１に横貫した一対の貫通孔２６を貫通させて軸支し、また上下一対の係合爪２７にてラッチスイッチＳＷ１をスイッチベース１２に一体に係合固定している。
上述の第２傾動レバー２４はＬ形状を有し、そのＬ形状の屈曲位置に設けた軸支孔２８を、図４に示すように、スイッチベース１２の他壁面に突出する支点軸２９に傾動自由に挿通させて軸支し、またスイッチベース１２の他壁面の上部に突出する傾動許容爪３０で該レバー２４の傾動ガイド溝３１に係合させて、第２傾動レバー２４をスイッチベース１２に抜止め支持している。
さらに、第２傾動レバー２４のＬ形状に形成された下端部に突出する第３カム３２をスイッチベース１２の横貫口３３に貫通させて一壁面側に取付けられたラッチスイッチＳＷ１の押しボタン３４の上面に対向させて配置し、第２傾動レバー２４の上端部に突出する第２レバー受圧部としての受圧片３５が後述するドアキーからの外力（ドアを閉じたときの閉鎖力）を受けることに基づいて軸支孔２８を傾動支点に傾動する。このとき、該レバー２４の下端部に突出するスイッチ操作用の第３カム３２が、ラッチスイッチＳＷ１の押しボタン３４を押圧してスイッチング操作を行う。また、押下解除に基づいて、この傾動レバー２４は押しボタン３４の復帰作用を受けて元の位置に傾動して戻り、ラッチスイッチＳＷ１も元の状態に切換えられる。
また、軸支孔２８と同心円上の第２傾動レバー２４に半円形に突出する傾動ガイド片３６を、スイッチベース１２の他壁面の下部に突出する傾動ガイド爪３７で傾動ガイドして該レバー２４を傾動ガイドしている。
図５はスイッチユニット１３の外観図を示し、スイッチケース１５に第１傾動レバー１６の下端部を組込んで一体に設けている。
この場合、スイッチユニット１３はスイッチケース１５と第１傾動レバー１６との２部品でありながら単品として扱うことができ、予めスイッチユニット１３を個別に製作しておくことができるため、該スイッチユニット１３ならびに電子レンジ用ドアスイッチの組立、製作および管理が容易になるほか品質を選択できる。例えば、ケース本体およびケースカバーを耐熱性に優れた熱硬化性樹脂を用い、スイッチベース１２を安価な熱可塑性樹脂を用いるなど樹脂材料別に製作することができる。
このスイッチケース１５の内部は図６に示すように、第１傾動レバー１６と、復帰バネ３８と、第１〜第５端子Ｔ１〜Ｔ５と、これらを組込むケース本体３９と、その開口面を覆う平板状のケースカバー４０とから構成される。
上述の第１傾動レバー１６の下端部には、後述するケース本体３９に組込まれて傾動自由に軸支される軸支孔４１と、該レバー１６を待機位置に付勢支持する環状の復帰バネ３８を取付けるバネ取付け部４２と、スイッチング操作用の第１カムＣ１と第２カムＣ２とを有している。
ケース本体３９は、片面を開放した凹部内面の上部の側面を一部レバー取付け用に開口し、その開口部４３と対向する凹部内面に傾動支点軸４４を突設し、ここに第１傾動レバー１６の軸支孔４１を挿通して傾動自由に取付け、この傾動支点軸４４を傾動支点に第１傾動レバー１６はスイッチング操作可能な範囲で傾動する。
次に、スイッチユニット１３の内部構造について具体的に説明する。図７および図８はケース本体３９への組込み状態を示し、このケース本体３９は中央部を上下方向に延びる仕切り板４５で仕切って左右に空洞部４６，４７を有し、これらの空洞部４６，４７にドアスイッチＳＷ３とモニタスイッチＳＷ２とを、この順に並列配置している。また、その上方に第１傾動レバー１６の第２カムＣ２と第１カムＣ１を対応させている。
先ず、ドアスイッチＳＷ３は、第１端子Ｔ１と、第２端子Ｔ２と、第２カムＣ２とから構成され、ケース本体３９の下部一側（図中左側）に形成した圧入溝３９ａ，３９ｂに細長い直板状の導電性の板バネ片を用いた第１、第２端子Ｔ１，Ｔ２の下部を圧入固定している。これら２個の端子Ｔ１，Ｔ２はケース本体３９の下面より配線用に外端部を整列して突出させ、内端部を接点用にケース本体３９の内方の空洞部４６に略平行状態に対峙させて取付けている。そして、第１端子Ｔ１の内端部には、前記第２カムＣ２が対向し、該第２カムＣ２の動きに応じて第１端子Ｔ１の内端部（自由端）側を第２端子Ｔ２の内端部（自由端）側に接触または離間させてオンオフする接点切換え構造を有している。
モニタスイッチＳＷ２は、第３端子Ｔ３と、第４端子Ｔ４と、第５端子Ｔ５と、第１カムＣ１とから構成され、ケース本体３９の下部他側（図中右側）に形成した圧入溝３９ｃ〜３９ｅに細長い直板状の導電性の板バネ片を用いた第３〜第５端子Ｔ３〜Ｔ５を圧入固定している。これら３個の端子Ｔ３〜Ｔ５はケース本体３９の下面より配線用に外端部を整列して突出させ、内端部を接点用にケース本体３９の内方の空洞部４７に略平行状態に臨ませている。
さらに、仕切り板４５よりモニタスイッチＳＷ２側の空洞部４７に端子保持片４８を延設し、この端子保持片４８の圧入溝３９ｆに第３端子Ｔ３の内端部を圧入固定している。この第３端子Ｔ３の内端部側に、内端部を階段状に形成した第４端子Ｔ４の屈曲部Ｔ４１を接触させている。そして、この屈曲部Ｔ４１の自由端側に第１カムＣ１が対応し、該第１カムＣ１の動きに応じて第４端子Ｔ４の自由端側を第３端子Ｔ３より離間させた後、第５端子Ｔ５の自由端側に接触させて接点を切換える接点切換え構造を有している。
このように、第１端子Ｔ１と第４端子Ｔ４は、接点部間を切換える可動端子に該当し、後述する第１傾動レバー１６の下面に形成された第１カムＣ１および第２カムＣ２の押圧力を受けて弾性変位する。また、第１〜第５端子Ｔ１〜Ｔ５は、第４端子Ｔ４を除いて同形状を有し、ケース本体３９に圧入して取付ける向きが異なるだけで同一部品であるため、共用することができる。
さらに、第１カムＣ１と第２カムＣ２との間の第１傾動レバー１６にはストッパ溝４９を切欠き形成しており、このストッパ溝４９がその下方に対応する仕切り板４５のストッパ部兼用に設けた頂部４５ａに係止されている。このストッパ溝４９の溝長さによって第１傾動レバー１６が傾動したときのカムの操作量を設定している。
そして、ケース本体３９の凹部に第１傾動レバー１６と復帰バネ３８と各端子Ｔ１〜Ｔ５を組込んだ後、ケース本体３９の両側および頂部に突出する係止突起３９ｇにケースカバー４０の係止爪４０ａを係止させて接続することにより、ケース本体３９の開放面を閉鎖して一体に連結する。
次に、図９を参照して、電子レンジ用ドアスイッチ１１の接点部間の切換え動作を説明する。
通常、図９（Ａ）に示すように、第１傾動レバー１６の受圧突起２３が押下されていないときは、第１傾動レバー１６が復帰バネ３８で付勢されて受圧突起２３が押下可能な待機状態にある。このとき、モニタスイッチＳＷ２側は第３端子Ｔ３に第４端子Ｔ４が接触した常閉接点に設定された導通状態にあり、第５端子Ｔ５とは非接触の常開接点に設定された非導通状態にある。
また、ドアスイッチＳＷ３側にあっては、第１端子Ｔ１と第２端子Ｔ２とは非接触の常開接点に設定された非導通状態にある。
受圧突起２３が外力を受け始めて、図９（Ｂ）に示すように、第１傾動レバー１６の初期傾動時に、第１傾動レバー１６と一体の第１カムＣ１が第４端子Ｔ４の自由端側を押して、第３端子Ｔ３との接点部間を離す方向に弾性変位させる。これにより、第３端子Ｔ３と第４端子Ｔ４との接点部間が離れて非導通になる。その後、同変位方向に対向する第５端子Ｔ５の接点部に第４端子Ｔ４が加圧接触して導通状態になる。
さらに、第１傾動レバー１６を傾動させると、図９（Ｃ）に示すように、続いて第２カムＣ２が第１端子Ｔ１の自由端側を加圧して弾性変位させる。この弾性変位に基づいて第１端子Ｔ１が対向する第２端子Ｔ２の接点部に加圧接触して導通状態になり、ドアスイッチＳＷ３は閉に切換えられる。
また、前記受圧突起２３よりも後退した待機位置にあるラッチスイッチ機構１４側の受圧片３５は第１傾動レバー１６に遅れて押されることになり、第１傾動レバー１６、第２傾動レバー２４の順におされて第２傾動レバー２４が傾動したとき、第３カム３２がラッチスイッチＳＷ１の押しボタン３４を押下する。
そして、第１傾動レバー１６の外力が除かれると、第１傾動レバー１６は復帰バネ３８の復帰力を受けて元の押下待機位置に戻り、両側の弾性変位されていた端子Ｔ１，Ｔ４も同様に弾性復帰して元の位置に戻り、接点部間は、図９（Ａ）に示した元の待機状態に戻る。
同じく、第２傾動レバー２４側も略同時に外力が除かれて、第２傾動レバー２４は押しボタン３４の復帰力を受けて元の押下待機位置に戻り、接点部間はオンからオフに切換えられ、元の待機状態に戻る。
このように、並列する一方のモニタスイッチＳＷ２と他方のドアスイッチＳＷ３とが、ユニットケース１５内の両側の定位置に配置されるため、取付け位置のバラツキがなくなり、また両側のスイッチＳＷ２，ＳＷ３は第１傾動レバー１６の動きに伴う一方のモニタスイッチＳＷ２の接点切換えタイミングと他方のドアスイッチＳＷ３の接点切換えタイミングを異ならせた任意の接点の切換え構成が容易に得られる。
このため、各スイッチに対しては傾動操作に伴う高精度のタイミングで接点部間の切換え操作ができる。
また、１つのスイッチケース１５に２つのスイッチＳＷ２，ＳＷ３を組込むことができるため、共通部品として有効利用でき、コンパクトに製作できる。ことに、第１傾動レバー１６は単一の部品でありながらレバー機能とカム機能とを有し、しかも１回の傾動操作で双方のスイッチＳＷ２，ＳＷ３をスイッチング操作できる共通部品であるためスイッチの部品点数を削減することができる。
さらに、図１０にも示すように、モニタスイッチＳＷ２とドアスイッチＳＷ３との各々の端子Ｔ１〜Ｔ５の外端部と、ラッチスイッチＳＷ３の下面に突出する端子Ｔ６，Ｔ７の外端部とを、同突出方向に揃えている。これにより、端子の向きと位置が配線作業に容易な配置構成がとれ、配線工数の低減を図ることができる。
さらに、第１傾動レバー１６と第２傾動レバー２４は、レバーを軸支する軸支部からレバー外端部までの距離を長くとり、軸支部からレバー内端部までの距離を短くとって、各傾動レバー１６，２４の軸支部を傾動支点とするレバー外端部側のレバー比をレバー内端部側のレバー比よりも大きく設定している。
このため、軸支部を傾動支点とする該レバー外端部側からの傾動操作力は、てこの原理により小さな力で、レバー内端部側に効率よく傾動操作力を伝えることができる。従って、第１傾動レバー１６と第２傾動レバー２４とは傾動時の負荷抵抗が小さく、滑らかな動きが得られる。
図１１はスイッチユニット１３を備えた電子レンジ用ドアスイッチ１１の組込み状態を示し、この電子レンジ用ドアスイッチ１１は電子レンジの縦開きドアのドアキー５０と対向する本体フレーム５１の上部に開口する上部窓５２に第１傾動レバー１６の受圧突起２３を臨ませ、その下部に開口する下部窓５３に第２傾動レバー２４の受圧片３５を臨ませて取付ける。
これらと対向するドアキー５０の対向面上部には上部爪５４を、下部には下部爪５５を突設し、ドアの開閉操作に伴って押圧される受圧突起２３と受圧片３５が進退してスイッチング操作される。
この場合、スイッチング操作時（ドア閉鎖時）の外力を受ける方向と同方向に第１傾動レバー１６の傾動方向を合せて取付けている（図においては水平方向）。これにより、外力を受けたときは、第１傾動レバー１６が斜め下向きに押し下げられて傾動し、この第１傾動レバー１６の傾動する動きに連動して両側のスイッチＳＷ２，ＳＷ３は正確に接点が切換わる。
図１２は電子レンジ用ドアスイッチの電気回路図を示し、この電子レンジ用ドアスイッチ１１を構成する各スイッチＳＷ１，ＳＷ２，ＳＷ３の端子は、図に示す如く、電子レンジの回路に接続されている。
図１３は電子レンジ用ドアスイッチ１１を構成する各ＳＷ１，ＳＷ２，ＳＷ３のタイムチャートを示し、ラッチスイッチＳＷ１とドアスイッチＳＷ３は、電子レンジのドアが開放された押下待機状態のときは開状態を保ち、ドアが閉じられた押下操作時は閉信号が出力される。一方、モニタスイッチＳＷ２は電子レンジのドアが開放されている押下待機状態ＦＰ（フリーポジション）のときは閉状態を保ち（第３端子Ｔ３と第４端子Ｔ４が導通）、ドアが閉じられて押下操作されたときは開となる（第４端子Ｔ４と第５端子Ｔ５が導通）。このときは、例えば出力された信号により電子レンジの調理ランプが点灯される。
この電子レンジは、ラッチスイッチＳＷ１およびドアスイッチＳＷ３が閉になったとき、通電して調理可能に作動し、開になったとき作動を停止する。ところが、これらのＳＷ１，ＳＷ３の接点部分に、仮に接点溶着などの不具合が生じると、ドアが開けられてもスイッチＳＷ１，ＳＷ３の接点部間が開にならない場合が発生する恐れがある。このときは、電子レンジの電磁波を出力させて危険になるので最後にモニタスイッチＳＷ２の常閉接点が閉になり、電源回路を短絡するためヒューズを溶断して電源を遮断する回路構成を有している。これにより、安全を確保している。
図１４は電子レンジ用ドアスイッチの他の実施の形態を示し、この電子レンジ用ドアスイッチ１４１はスイッチベース１４２の一壁面に、ケース本体と同凹形状のスイッチ収納部１４３を形成し、このスイッチ収納部１４３にスイッチユニット１４４を構成する復帰バネ１４５と、第１〜第５端子Ｔ１１〜Ｔ１５と、第１傾動レバー１４６とを組付け、その開口面をケースカバー１４７で閉鎖して一体に組付けるようにしたものである。
この場合は予めスイッチベース１４２に形成されたスイッチ収納部１４３にスイッチ構成部品を直接組込んで構成できるため、スイッチベース１４２の一部でケース本体を代用できる。この結果、部品点数の削減が図れる。
図１５は電子レンジ用ドアスイッチの他の実施の形態を示し、この電子レンジ用ドアスイッチ１５１はスイッチベース１５２の一壁面に、ケースカバーと同形状のカバー部１５３を形成し、このカバー部１５３に、復帰バネ１５４と、第１〜第５端子Ｔ２１〜Ｔ２５と、第１傾動レバー１５５とを組込んだケース本体１５６組付けるようにしたものである。
この場合もスイッチベース１５２にケースカバーと同形状のカバー部１５３が既に形成されているため、スイッチベース１５２の一部でケースカバーを代用できる。そして、ここにケース本体１５６を取付けるだけで、スイッチユニットを構成することができる。このため、ケースカバーを省略でき、部品点数を削減できる。
上述のように、１つのスイッチケースにモニタスイッチとドアスイッチとの２つのスイッチを収納するだけでなく、第１傾動レバーを介して両スイッチをスイッチング操作することができるため、スイッチケースおよび第１傾動レバーを共通部品として利用できる。この結果、部品点数を削減して低コスト化、省スペース化および小型化を図ることができる。また、２つのスイッチは、スイッチケース内の定位置に配置するため取付け位置のバラツキがなくなり、また傾動動作に連動してスイッチング操作するため、スイッチ間の動作タイミングが正確であり、信頼性の高い安定したスイッチング操作ができる。
（第２実施形態）
次に、図１６〜２３を参照して、本発明の高周波加熱装置の第２実施形態について説明する。図１６は第２実施形態の高周波加熱装置に用いられる電子レンジ用ドアスイッチを一方の面から見た外観斜視図、図１７は図１６の電子レンジ用ドアスイッチを他方の面から見た外観斜視図、図１８は図１６に示す電子レンジ用ドアスイッチの分解斜視図、図１９は図１７に示す電子レンジ用ドアスイッチの分解斜視図、図２０は図１６に示す電子レンジ用ドアスイッチにおけるスイッチユニットの断面図、図２１は回路構成における不具合例、図２２は本発明の回路構成図、図２３（ａ）〜（ｃ），図２４（ａ）〜（ｃ），図２５（ａ）〜（ｄ）は動作説明図である。なお、第１実施形態と同一または同等部分については、説明を省略或いは簡略化する。
図１６に示すように、高周波加熱装置に用いられる電子レンジ用ドアスイッチ２００は、スイッチ取付板２０１と、第１レバー２０３を組み込んだスイッチユニット２０２と、第２レバー２０４と、第２スイッチであるメインスイッチ２０５と、から構成されている。
スイッチ取付板２０１には、その一方の面２０６の上方部に第１レバー２０３を取り付けるための突起２０７と、第１レバー２０３を回動自在に支持するための回転軸２０８と、が立設され、回転軸２０８を囲んで配置されたスイッチユニット固定部２０９に、回転軸２０８に第１レバー２０３が挿入されたスイッチユニット２０２が組み付けられている。また、突起２０７の後方に配置されたメインスイッチ固定部２１０にメインスイッチ２０５が組み付けられている。
図１７に示すように、スイッチ取付板２０１には、その他方の面２１１の中央部に第２レバー２０４を回動自在に支持するための回転軸２１２が立設され、第２レバー２０４に形成されたカム２１３が、中央部に形成された横孔２１４を挿通して一方の面２０６上に突出されている。
図１８に示すように、スイッチ取付板２０１は、スイッチユニット固定部２０９が、一方の面２０６上に突出する３個の係止爪２１５と、スイッチカバー２１６を囲むように突出形成されたリブ２１７と、を有する。スイッチユニット固定部２０９には、第１レバー２０３の長孔２１８が突起２０７に挿通され、第１レバー２０３の枢支孔２１９が回転軸２０８に挿通されたスイッチユニット２０２において、スイッチカバー２１６の外周に突出形成された３個の凸片２２０が係止爪２１５に係合することによって一体に取付けられている。このとき、第１レバー２０３は、円弧状ガイド孔２２１が一方の面２０６上に突出形成された傾動許容爪２２２に係合されることによって、スイッチ取付板２０１に抜け止めされて傾動ガイドされる。第１レバー２０３には、受圧突起２２３が突出形成されている。受圧突起２２３は、ドアを閉じた時にドアキーから与えられた外力によって第１レバー２０３を回動させる。このとき、スイッチ取付板２０１に対して、スイッチカバー２１６が装着されることによりスイッチユニット２０２が被覆され、突起２０７に対して第１レバー２０３が挿入されることにより第１レバー２０３が支持されるために、スイッチ取付板２０１への組付けのみによる作業になり、それによって、自動組み付けの構造を簡潔にすることができる。
また、スイッチ取付板２０１は、メインスイッチ固定部２１０が、一方の面２０６上に突出する一対の取付け軸２２４と、上下一対の係合爪２２５と、を有する。メインスイッチ固定部２１０には、一対の取付け軸２２４に、メインスイッチ２０５に横貫した一対の貫通孔２２６を貫通させて軸支し、一対の係合爪２２５によってメインスイッチ２０５が一体に取付けられている。メインスイッチ２０５は第２レバー２０４の接線上に配置されている。そのために、第２レバー２０４は、メインスイッチ２０５に有する押しボタン２２７が復帰する際の反発力によって直接戻し動作を行うことができるので、戻しばね等を内蔵する必要がなくなって、部品点数を減少することができる。
図１９に示すように、スイッチ取付板２０１は、他方の面２１１上の回転軸２１２に、第２レバー２０４の枢支孔２２８が回動自在に組み付けられている。第２レバー２０４は、Ｖ字形状の外形に形成されており、一方の端部に受圧片２２９が形成され、他方の端部にカム２１３が形成されている。受圧片２２９は、ドアキーからの外力を受けることに基づいて第２レバー２０４を回動させるために、カム２１３によってメインスイッチ２０５の押しボタン２２７をオンさせる。第２レバー２０４は、円弧状ガイド孔２３０，円弧状ガイド突起２３１が、他方の面２１１上に突出形成された傾動許容片２３２，２３３に係合されることによって、スイッチ取付板２０１に抜け止めされて傾動ガイドされる。
スイッチユニット２０２は、スイッチカバー２１６内に、第１レバー２０３の基部２３４が回動自在に収容されており、基部２３４の外周部に、第１，第２操作部２３５，２３６が径方向に突出形成されている。また、スイッチカバー２１６内に、第１スイッチである信号スイッチ２５０を構成する、常開可動接点端子２５１，固定接点端子２５２と、第３スイッチであるショートスイッチ２５３を構成する、第１固定接点端子２５４，常閉可動接点端子２５５，第２固定接点端子２５６が組み付けられている。信号スイッチ２５０とショートスイッチ２５３との動きは、第１実施形態と同様であるため、詳細な説明は省略する。スイッチカバー２１６は、透明に形成されても良い。そうすれば、内部の接点状態を直接確認することができる。
第２レバー２０４には、突起部２４０が設けられている。突起部２４０は、受圧片２２９がドアキーからの外力を受けることにより押圧された際に、第１レバー２０３を押圧回動させることにより、ショートスイッチ２５３がオフした後に、メインスイッチ２０５をオンすることができる。
ここで、スイッチユニット２０２が、信号スイッチ２５０とショートスイッチ２５３とを内蔵しているために、信号スイッチ用のマイクロスイッチと、ショートスイッチ用のマイクロスイッチと、を独立して備える必要がなくなって、簡潔な構造となるとともに、スペース的にも有利になって省スペース化を図ることができる。また、信号スイッチ２５０は、第１操作ピンの動作に連動し、加熱室側方に位置するスイッチ取付板２０１に装着された第１レバー２０３により動作され、メインスイッチ２０５は、第２操作ピンの動作に連動し、加熱室の前板に装着されたピンガイド及びスイッチ取付板２０１に装着された第２レバー２０４により動作される。そして、信号スイッチ２５０が、第１レバー２０３を介して動作するショートスイッチ２５０を内蔵している。そのために、第１レバー２０３により、信号スイッチ２５０およびショートスイッチ２５３を異なる時期に作動させることを容易に設定できる。また、加熱室の扉が閉じられたときに、第１レバー２０３の第１操作部２３５がショートスイッチ２５３の可動接点部を押圧してオフからオンしてから、第１レバー２０３の第２操作部２３６がショートスイッチ２５３の可動接点部を押圧してオンするために、ショートスイッチ２５３のオフから、信号スイッチ２５０のオンまでの間に予め定められた時間を設定することにより、扉の閉状態が確定されてからでないと、加熱室が作動しないようにできる。
スイッチユニット２０２では、信号スイッチ２５０を構成する、常開可動接点端子２５１，固定接点端子２５２の接点部と、ショートスイッチ２５３を構成する、第１固定接点端子２５４，常閉可動接点端子２５５，第２固定接点端子２５６の接点部、が突起２０７，２０８より後方に配置されている。そのために、第１レバー２０３をつたってきた肉汁や水滴等の液体がスイッチユニット２０２内に浸入することがないので、接点部の腐食等、から起こりうる誤作動を回避することができる。また、ショートスイッチ２５３を構成する、第１固定接点端子２５４，常閉可動接点端子２５５，第２固定接点端子２５６の接点部が下側に配置されているために、第１レバー２０３をつたってきた肉汁や水滴等の液体の進行路から離れており、それによって、液体の浸入による影響を受け難くすることができる。また、ショートスイッチ２５３とメインスイッチ２０５とでショート回路を構成する接点部の片側が略Ｒ形状に形成されている。そのために、接点部がショートする時に、接点部の片側が略Ｒ形状に形成されているために、飛散することがなくなり、確実にショート回路を形成することができる。また、信号スイッチ２５０及びショートスイッチ２５３の接点部同士は接触後にずれてワイピングするように構成されている。そのために、信号スイッチ２５０の接点部同士およびショートスイッチ２５３の接点部同士が接触時にずれてワイピングされるので、各接点部が常に洗浄されて、アークを発生させないようにして漏れ電流を防止することができる。また、ショートスイッチ２５３の接点片の弾性力により第１レバー２０３が復帰される。これにより、第１レバー２０３に戻しばね等の復帰部材を内蔵する必要がなくなって、部品点数の減少を図ることができる。
第１レバー２０３には、基部２３４の上方に、回転軸より前方に延ばされた鍔２３７が形成されている。また、基部２３４の下側に、グリス溜り２３８が外周に向けてＬ字形状に突出形成されている。鍔２３７は、第１レバー２０３をつたってきた肉汁や水滴等の液体が、スイッチユニット２０２内に浸入しないようにして、外部へ除去するために、スイッチユニット２０２内に液体が浸入せずに、接点の腐食等、から起こりうる誤作動を回避することができる。グリス溜り２３８は、第１レバー２０３を可動させるためにできるスイッチ取付板２０１とスイッチカバー２１６との隙間からの粉塵の侵入を防止するとともに、基部２３４に塗布されるグリスが接点側に流れ込まないようにする。
ここで、第１レバー２０３とスイッチユニット２０２との外装の色の違いにより示すインジケータを備えるのが好ましい。そうすれば、信号スイッチ２５０とショートスイッチ２５３とを内蔵したスイッチユニット２０２の動作位置、特に、接点のオン・オフ状態を確認することができる。また、第１レバー２０３とスイッチユニット２０２との外装に設けた印により示すインジケータを備えても良い。そうすれば、接点のオン・オフ状態を確認することができる。また、スイッチユニット２０２の外装の上側あるいは下側に突起を設けても良い。そうすれば、スイッチユニット２０２内の信号スイッチ２５０およびショートスイッチ２５３に接続されるコネクタが誤組み付けされないために、コネクタを確実に組み付けることができる。
図２０に示すように、スイッチ取付板２０１のリブ２１７と、スイッチカバー２１６の端縁とは、略櫛歯形状に形成されている。そのため、スイッチ取付板２０１とスイッチカバー２１６の端縁とが迷路状になっているので、スイッチ取付板２０１とスイッチカバー２１６との隙間からの粉塵の侵入を防止することができる。
従来、ドアが開いている状態で、例えば、細い針金等を用いて第２レバー２０４が強制的に押圧された場合、ドアは開状態にあるので、ショートスイッチ２５３はオン状態にあり、それによって、ヒューズが溶断する。これを解決するための手段として、１つは、図２１に示すように、常閉のショートスイッチ２５３をメインスイッチ２０５およびリレー接点ＲＬ−１の下流側に並列に接続することが考えられる。しかし、このようにすると、メインスイッチ２０５が溶着した場合、第１レバー２０３が押し込まれてショートスイッチ２５３はオフした後に信号スイッチ２５０がオンしてリレー接点ＲＬ−１が閉じて電源回路が形成される。この状態で、調理スタートボタンが押されると、ドアが開いているのにマグネトロンが作動し、電磁波漏れが発生する。
これに対し、図２２に示すように、本発明では、ショートスイッチ２５３をメインスイッチ２０５とヒューズＦの下流側に並列に接続し、リレー接点ＲＬ−１をショートスイッチ２５３とヒューズＦとの接続点よりも下流側に直列に接続した。このような回路構成にすることにより、メインスイッチ２０５が溶着した場合にのみヒューズＦを溶断させ、リレー接点ＲＬ−１が溶着した場合、第１レバー２０３が押し込まれてショートスイッチ２５３はオフするが、コンシールされた第２レバー２０４は押し込まれないために、メインスイッチ２０５はオフ状態を保ち、電源回路は形成されない。この状態で調理スタートボタンが押されてもマグネトロンは作動せずに、電波漏れを発生しないようにできる。これにより、ドアが開いている状態で第２レバー２０４が強制的に押されたとしても、第２レバー２０４に連動して第１レバー２０３を動作させて、ショートスイッチ２５３をオフすることができる。
次に、図２３（ａ）〜（ｃ），図２４（ａ）〜（ｃ），図２５（ａ）〜（ｄ）を参照して動作を説明する。
まず、図２３（ａ）〜（ｃ），図２４（ａ）〜（ｃ）を参照して通常の動作について説明する。
図２３（ａ）に示すように、扉５００が開いていると、第１レバー２０３および第２レバー２０４は復帰位置にあり、ショートスイッチ２５３がオン、信号スイッチ２５０がオフ、メインスイッチ２０５がオフである。扉５００が閉じられてくると、第１レバー２０３の受圧突起２２３が押圧されるために、第１レバー２０３が回動を始める。
図２３（ｂ）に示すように、扉５００が閉じられてきても、第２レバー２０４は押圧されないために、第１レバー２０３のみが回動され、第１操作部２３５により常閉可動接点端子２５５が押圧されて第１固定接点端子２５５から離れてショートスイッチ２５３がオフされる。
図２３（ｃ）に示すように、第２レバー２０４が押圧されないまま、第１レバー２０３のみが押圧されるので、第１操作部２３５により常閉可動接点端子２５５が押圧されて第２固定接点端子２５６に電気的に接続されてショートスイッチ２５３がオンされる。そして、第２操作部２３６によって信号スイッチ２５０の常開可動接点端子２５１が押圧され始める。
図２４（ａ）に示すように、第１レバー２０３の回動によって、第２操作部２３６に押圧された常開可動接点端子２５１が固定接点端子２５２に電気的に接続されて信号スイッチ２５０がオンされる。そして、扉５００によって第２レバー２０４が押圧され始める。
図２４（ｂ）に示すように、扉５００の閉動作に伴い、ショートスイッチ２５３がオフされてから、信号スイッチ２５０がオンされた後に、第１レバー２０３とは独立して第２レバー２０４が回動されることにより、メインスイッチ２０５がオンされる。
図２４（ｃ）に示すように、ショートスイッチ２５３がオフ、信号スイッチ２５０がオン、メインスイッチ２０５がオンで扉５００が閉じられる。
次に、図２５（ａ）に示すように、扉５００が開いている状態においては、第２レバー２０４は復帰位置Ａ０にあり、ショートスイッチ２５３がオン、信号スイッチ２５０がオフ、メインスイッチ２０５がオフである。
図２５（ｂ）に示すように、受圧片２２９が外力を受けて、第２レバー２０４が復帰位置Ａ０から位置Ａ１まで強制的に押圧回動されると、突起部２４０が第１レバー２０３を押圧回動させる。第１レバー２０３が回動されることで、第１操作部２３５がショートスイッチ２５３の常閉可動接点２５５を押動させるために、ショートスイッチ２５３がオフされる。
図２５（ｃ）に示すように、第２レバー２０４がさらに押圧されて、位置Ａ１から位置Ａ２まで回動されると、メインスイッチ２０５がオンされる。
図２５（ｄ）に示すように、第２レバー２０４がさらに押圧されて、位置Ａ２から位置Ａ３まで回動されると、第２レバー２０４は回動が終了される。このとき、メインスイッチ２０５はオンであり、信号スイッチ２５０はオフのままである。そのため、第２レバー２０４の回動に伴い、突起部２４０によって第１レバー２０３を回動させてショートスイッチ２５３をオフした後に、メインスイッチ２０５をオンする。これにより、ドアが開いている状態で第２レバー２０４が強制的に押されても（故意に押されても）ショート回路中のヒューズが溶断しないようにできる。
なお、この発明の構成と、上述の実施の形態の構成との対応において、
この発明における第１実施形態の第１スイッチは、実施の形態のモニタスイッチＳＷ２に対応し、
以下同様に、
第２スイッチは、ドアスイッチＳＷ３に対応し、
第３スイッチは、ラッチスイッチＳＷ１に対応し、
第１軸支部は、軸支孔４１と傾動支点軸４４に対応し、
第２軸支部は、軸支孔２８と支点軸２９に対応し、
第１レバー受圧部は、受圧突起２３に対応し、
第２レバー受圧部は、受圧片３５に対応し、
第１〜第５導電接点片は、第１〜第５端子Ｔ１〜Ｔ５，Ｔ１１〜Ｔ１５，Ｔ２１〜Ｔ２５に対応する。
この発明は請求項に示される技術思想に基づいて応用することができ、上述の実施の形態の構成のみに限定されるものではない。
本発明を詳細にまた特定の実施態様を参照して説明したが、本発明の精神と範囲を逸脱することなく様々な変更や修正を加えることができることは当業者にとって明らかである。
本出願は、２００３年０５月１５日出願の日本特許出願（特願２００３−１３６６８３）に基づくものであり、その内容はここに参照として取り込まれる。
【産業上の利用可能性】  本発明によれば、１つのスイッチケースに２つのスイッチを組込むことができ、しかも第１傾動レバーの動きに連動させて両スイッチの接点部間をそれぞれ切換える共通部品として設けることができるため、部品点数を削減して低コスト化および小型化を図ることができる。また、第１傾動レバーの動きに連動する両スイッチの動作タイミングを任意にとれるため、信頼性の高い安定したスイッチの切換え性能が得られ、電子レンジに組込んだ場合に安全性の高いスイッチとして組込むことができる。
【図１】
2004102075.tif 000003
【図２】
2004102075.tif 000004
【図３】
2004102075.tif 000005
【図４】
2004102075.tif 000006
【図５】
2004102075.tif 000007
【図６】
2004102075.tif 000008
【図７】
2004102075.tif 000009
【図８】
2004102075.tif 000010
【図９】
2004102075.tif 000011
【図１０】
2004102075.tif 000012
【図１１】
2004102075.tif 000013
【図１２】
2004102075.tif 000014
【図１３】
2004102075.tif 000015
【図１４】
2004102075.tif 000016
【図１５】
2004102075.tif 000017
【図１６】
2004102075.tif 000018
【図１７】
2004102075.tif 000019
【図１８】
2004102075.tif 000020
【図１９】
2004102075.tif 000021
【図２０】
2004102075.tif 000022
【図２１】
2004102075.tif 000023
【図２２】
2004102075.tif 000024
【図２３】
2004102075.tif 000025
【図２４】
2004102075.tif 000026
【図２５】
2004102075.tif 000027
【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
電子レンジの前面開口部を開閉するドアの開閉操作に応じて傾動する複数の傾動レバーの動きによって複数のスイッチを、時間差を付けてスイッチング操作する高周波加熱装置であって、
第１傾動レバーの傾動時に、該レバーの内端部に形成した第１カムを介してスイッチケース内部の導電接点片を弾性変位させて接点部間を切換える第１スイッチと、
前記第１傾動レバーの傾動時に、前記第１スイッチの接点部間を切換えるタイミングとは異なる別のタイミングで、該第１傾動レバーの内端部に形成した第２カムを介して前記スイッチケース内部の別の導電接点片を弾性変位させて接点部間を切換える第２スイッチと、
第２傾動レバーの傾動時に、該レバーの内端部に形成した第３カムを介してスイッチング操作する第３スイッチと、
を設けたことを特徴とする高周波加熱装置。
【請求項２】
電子レンジの前面開口部を開閉するドアと対応する本体フレームの内側にスイッチベースを取付け、このスイッチベースに、前記ドアの開閉操作に応じて異なるタイミングで傾動する第１傾動レバーと第２傾動レバーを取付け、前記両傾動レバーの動きによって前記スイッチベースに搭載されている３個のスイッチを、時間差を付けてスイッチング操作する高周波加熱装置であって、
前記第１傾動レバーの内端部には、スイッチケースに傾動自在に軸支される第１軸支部と、スイッチング操作用の第１カムと第２カムとを設け、該レバーの外端部には、前記ドアに取付けられたドアキーと対応する第１レバー受圧部を設け、前記第１カム側に向けて並列配置される複数の導電接点片を設け、前記第１傾動レバーの傾動時に前記第１カムに押圧されて弾性変位する第１導電接点片が第２導電接点片に接触して接点部間を切換える第１スイッチと、前記第２カム側に向けて並列配置される複数の導電接点片を設け、前記第１傾動レバーの傾動時に、前記第１スイッチの接点部間を切換えるタイミングとは異なる別のタイミングで、該第２カムが第３導電接点片に接していた第４導電接点片を押して離間させた後、該第４導電接点片を第５導電接点片に接触させて接点部間を切換える第２スイッチとの両スイッチをスイッチケースに内蔵して設け、
前記第２傾動レバーの内端部には、前記スイッチベースに傾動自在に軸支される第２軸支部と、前記スイッチベースに搭載されている第３スイッチの押しボタンに加圧対応させる第３カムとを設け、該第２傾動レバーの外端部には、前記ドアキーと対応する第２レバー受圧部を設けたことを特徴とする高周波加熱装置。
【請求項３】
前記第１スイッチと第２スイッチとの各々の導電接点片の外端部と、前記第３スイッチの外面に突出する端子の外端部とを同突出方向に揃えたことを特徴とする請求項１または２記載の高周波加熱装置。
【請求項４】
前記第１傾動レバーと第２傾動レバーは、レバーを軸支する軸支部からレバー外端部までの距離を長くとり、軸支部からレバー内端部までの距離を短くとって、前記各傾動レバーの軸支部を傾動支点とするレバー外端部側のレバー比をレバー内端部側のレバー比よりも大きく設定したことを特徴とする請求項１または２記載の高周波加熱装置。
【請求項５】
前記スイッチケースに前記第１傾動レバーを一体に組込んでなるスイッチユニットを構成したことを特徴とする請求項１または２記載の高周波加熱装置。
【請求項６】
前記スイッチケースはケース本体とケースカバーとを組合せて構成し、前記ケース本体と同形状の凹部を前記スイッチベースのスイッチケース取付け面に形成したことを特徴とする請求項１または２記載の高周波加熱装置。
【請求項７】
前記スイッチケースはケース本体とケースカバーとを組合せて構成し、前記ケースカバーと同形状のカバー部を前記スイッチベースのスイッチケース取付け面に形成したことを特徴とする請求項１または２記載の高周波加熱装置。
【請求項８】
食品を収納して加熱する加熱室と、前記加熱室に高周波を供給する高周波発生装置と、前記加熱室の開口面に対向し操作ピンを有する開閉自在な扉と、前記加熱室の加熱を行うための電源回路が導通するようにそれぞれ切り替わる複数のスイッチを有し、
前記操作ピンの動作に連動し前記加熱室側方に位置するスイッチ取付板に装着された第１レバーを介して動作する信号スイッチと、前記扉の開閉動作に連動し第２レバーを介して動作するメインスイッチと、を備え、前記信号スイッチは前記第１レバーを介して動作するショートスイッチを内蔵したことを特徴とする高周波加熱装置。
【請求項９】
食品を収納して加熱する加熱室と、前記加熱室に高周波を供給する高周波発生装置と、前記加熱室の開口面に対向し第１操作ピン及び第２操作ピンを有する開閉自在な扉と、前記加熱室の加熱を行うための電源回路が導通するようにそれぞれ切り替わる複数のスイッチを有し、
前記第１操作ピンの動作に連動し前記加熱室側方に位置するスイッチ取付板に装着された第１レバーを介して動作する信号スイッチと、前記第２操作ピンの動作に連動して前記加熱室の前板に装着されたピンガイド及び前記スイッチ取付板に装着された第２レバーを介して動作するメインスイッチと、を備え、前記信号スイッチは前記第１レバーを介して動作するショートスイッチを内蔵したことを特徴とする高周波加熱装置。
【請求項１０】
前記第１レバーを介して動作する前記信号スイッチと、前記ショートスイッチを内蔵したスイッチユニットは、前記加熱室の扉が開状態の場合、前記信号スイッチの接点がオフで、且つ前記ショートスイッチの接点がオン状態であり、前記加熱室の扉が閉じられると、前記第１レバーの第２操作部が前記ショートスイッチの可動接点部を押圧することで、前記ショートスイッチがオフからオンされた後に、第１レバーの第１操作部が前記信号スイッチの可動接点部を押圧してオンする構成としたことを特徴とする請求項８または９記載の高周波加熱装置。
【請求項１１】
前記スイッチユニットは、前記スイッチ取付板と、前記信号スイッチの接点部及び前記ショートスイッチの接点部を覆うスイッチカバーと、からなり、前記スイッチ取付板には、前記メインスイッチが装着され、且つ前記スイッチ取付板上に前記第１レバーの回転軸を設け、前記回転軸に前記第１レバーを挿入し、前記スイッチカバーで保持する構成としたことを特徴とする請求項１０記載の高周波加熱装置。
【請求項１２】
前記第１レバーからつたってきた液体の浸入を防止するために前記第１レバーの前記回転軸より前方に鍔を延ばしたことを特徴とする請求項１１記載の高周波加熱装置。
【請求項１３】
前記第１レバーからつたってきた液体の浸入による影響を受け難くするために前記第１レバーの前記回転軸より後方に前記スイッチユニット内部の接点部を設けたことを特徴とする請求項１１記載の高周波加熱装置。
【請求項１４】
前記第１レバーからつたってきた液体の浸入による影響を受け難くするために前記ショートスイッチの接点部を下側に設けたことを特徴とする請求項１１〜１３のいずれか一項記載の高周波加熱装置。
【請求項１５】
前記信号スイッチと前記ショートスイッチとを内蔵した前記スイッチユニットの動作位置を、前記第１レバーと前記スイッチユニットとの外装の色の違いにより示すインジケータを備えたことを特徴とする請求項１０〜１４のいずれか一項記載の高周波加熱装置。
【請求項１６】
前記信号スイッチと前記ショートスイッチとを内蔵した前記スイッチユニットの動作位置を、前記第１レバーと前記スイッチユニットとの外装に設けた印により示すインジケータを備えたことを特徴とする請求項１０〜１４のいずれか一項記載の高周波加熱装置。
【請求項１７】
前記信号スイッチと前記ショートスイッチとを内蔵した前記スイッチユニットの接続が誤配線されないようにするために前記スイッチユニットの外装の上側あるいは下側に突起を設けたことを特徴とする請求項１０〜１４のいずれか一項記載の高周波加熱装置。
【請求項１８】
前記ショートスイッチに構成される接点の内の前記ショートスイッチと前記メインスイッチとでショート回路を構成する接点の片側を略Ｒ形状に形成したことを特徴とする請求項１０〜１４のいずれか一項記載の高周波加熱装置。
【請求項１９】
前記第１レバーを可動させるためにできる前記スイッチ取付板と前記スイッチカバーとの隙間からの粉塵の侵入を防止するために前記スイッチ取付板の接点操作部を略櫛歯形状に形成したことを特徴とする請求項１１〜１８のいずれか一項記載の高周波加熱装置。
【請求項２０】
前記第１レバーを可動させるためにできる前記スイッチ取付板と前記スイッチカバーとの隙間からの粉塵の侵入を防止するために前記スイッチ取付板と前記第１レバーの接点操作部にグリス溜りを形成したことを特徴とする請求項１１〜１８のいずれか一項記載の高周波加熱装置。
【請求項２１】
前記スイッチカバーを透明にしたことを特徴とする請求項１１〜２０のいずれか一項記載の高周波加熱装置。
【請求項２２】
前記スイッチユニットに内蔵された前記信号スイッチ及び前記ショートスイッチの接点同士は接触後にずれてワイピングするように構成されていることを特徴とする請求項１０〜２１のいずれか一項記載の高周波加熱装置。
【請求項２３】
前記スイッチユニットに内蔵された前記ショートスイッチの接点片の弾性力により前記第１レバーを復帰させる構成としたことを特徴とする請求項１０〜２２のいずれか一項記載の高周波加熱装置。
【請求項２４】
前記メインスイッチは前記第２レバーに対向し該第２レバーの回転軸を基準として第２レバーを操作する第２操作ピンあるいは第２操作キー側に配置したことを特徴とする請求項９〜２３のいずれか一項記載の高周波加熱装置。
【請求項２５】
前記第２レバーが押圧された際に前記第１レバーを押圧して、前記ショートスイッチがオフされた後に、前記メインスイッチをオンするための突起部を前記第２レバーに設けたことを特徴とする請求項９〜２４のいずれか一項記載の高周波加熱装置。
【手続補正２】
【補正対象書類名】明細書
【補正対象項目名】全文
【補正方法】変更
【補正の内容】
【発明の詳細な説明】
【技術分野】
【０００１】
本発明は、高周波加熱装置のドアの開閉に連動してスイッチング操作される複数のスイッチを効率よく組込んで小型化およびスイッチの切換え性能の向上を図った高周波加熱装置に関する。
【背景技術】
【０００２】
以下、高周波加熱装置である電子レンジのドアスイッチ機構を例にとって説明すると、この電子レンジのドアスイッチ機構は、電子レンジを使用したときの安全性を考慮してラッチスイッチ、ドアスイッチ、モニタスイッチの３種類のスイッチを内蔵し、これらのスイッチをドアの開閉に連動して、時間差をつけてオン・オフ信号が得られるようにスイッチング操作をしている。
【０００３】
例えば、電子レンジの前面開口部を開閉するドアの内面に取付けたドアキーを、電子レンジの本体側に取付けたマイクロスイッチなどのスイッチに対向させ、ドアの閉操作時にドアキーを本体側のスイッチに直接対応させてスイッチング操作している。
【０００４】
ところが、この場合はスイッチの取付け位置のバラツキによって、各々のスイッチを動作させるタイミングがズレたり、ドアを勢いよく閉じたときの衝撃動作等でスイッチに過大な力が加わることがあり、このためにスイッチ特性を変動させる原因を誘起して正常なスイッチの動作が得られなくなる恐れがあった。
【０００５】
また、電子レンジのドアの内面に取付けた２つの操作ピンを、本体側に対向する２つのレバーにそれぞれ対向させて配設し、ドアの開閉に応じて操作ピンおよびレバーを介した内部位置のマイクロスイッチをスイッチング操作するドアスイッチ機構が知られている（例えば特許文献１参照）。
【０００６】
【特許文献１】特開平１１−２１４１４７号。
【発明の開示】
【発明が解決しようとする課題】
【０００７】
しかし、この場合は長いレバーを要するため、ドアスイッチ機構の全体が大型化し、また部品点数が多いためにコスト高になっていた。さらに、マイクロスイッチを使用した場合は、取付け方向により３個のマイクロスイッチの各端子の向きが、それぞれ異方向に向くため配線作業に手間がかかっていた。
【０００８】
そこでこの発明は、２つのスイッチを１つのスイッチケースに組込むことにより小型化が可能になり、またスイッチ部品の共通利用を図ることにより部品点数を削減して低コスト化が可能になる。さらに、ドアの開閉に連動して傾動する接点切換え構造に設けることにより、高精度のスイッチの切換え性能が得られる電子レンジ用ドアスイッチを提供することを目的とする。
【課題を解決するための手段】
【０００９】
この発明は、電子レンジの前面開口部を開閉するドアの開閉操作に応じて傾動する複数の傾動レバーの動きによって複数のスイッチを、時間差を付けてスイッチング操作する電子レンジ用ドアスイッチであって、第１傾動レバーの傾動時に、該レバーの内端部に形成した第１カムを介してスイッチケース内部の導電接点片を弾性変位させて接点部間を切換える第１スイッチと、前記第１傾動レバーの傾動時に、前記第１スイッチの接点部間を切換えるタイミングとは異なる別のタイミングで、該第１傾動レバーの内端部に形成した第２カムを介して前記スイッチケース内部の別の導電接点片を弾性変位させて接点部間を切換える第２スイッチと、第２傾動レバーの傾動時に、該レバーの内端部に形成した第３カムを介してスイッチング操作する第３スイッチとを設けたことを特徴とする。
【００１０】
この発明によれば、１つのスイッチケースに２つのスイッチを組込むことができ、特に第１傾動レバーの動きに連動させて２つのスイッチをオンオフするスイッチング動作ができるため、第１傾動レバーを２つのスイッチの共通部品として有効利用でき、コンパクトに製作できる。ことに、第１傾動レバーの内端部に形成した第１カムと第２カムをスイッチング操作部材に兼用させることができるため、第１傾動レバーは単一の部品でありながらレバー機能とカム機能とを有して、スイッチの部品点数を削減できる。また、部品点数の削減に伴うスイッチの小型化および低コスト化を図ることができる。
【００１１】
また、第１傾動レバーが傾動する位置に対応させて、複数の接点部間を、時間差をつけて切換えるようにすれば、その切換えタイミングを所望のタイミングに設定できる。したがって、各スイッチに対しては傾動操作に伴う高精度のタイミングで接点部間の切換え操作ができる。
【００１２】
前記導電接点片は弾性を有する板バネの導電片を用いればよく、導電接点片同士の接離に適した任意の弯曲形状あるいは屈曲形状にして、該導電接点片自体に弾性復帰力を持たせることができる。また、第１傾動レバーの傾動力に連動させて、各導電接点片の接点部間を押し拡げる方向と狭める方向とに弾性変位させれば、接点部間を確実に接離させることができる。また、導電接点片同士を摺接させるように構成すれば、接点部間の焼付き排除性能を得ることができるなど信頼性の高い安定した接点切換え構造が得られる。
【００１３】
この発明の他の形態として、電子レンジの前面開口部を開閉するドアと対応する本体フレームの内側にスイッチベースを取付け、このスイッチベースに、前記ドアの開閉操作に応じて異なるタイミングで傾動する第１傾動レバーと第２傾動レバーを取付け、前記両傾動レバーの動きによって前記スイッチベースに搭載されている３個のスイッチを、時間差を付けてスイッチング操作する電子レンジ用ドアスイッチであって、前記第１傾動レバーの内端部には、スイッチケースに傾動自在に軸支される第１軸支部と、スイッチング操作用の第１カムと第２カムとを設け、該レバーの外端部には、前記ドアに取付けられたドアキーと対応する第１レバー受圧部を設け、前記第１カム側に向けて並列配置される複数の導電接点片を設け、前記第１傾動レバーの傾動時に前記第１カムに押圧されて弾性変位す
る第１導電接点片が第２導電接点片に接触して接点部間を切換える第１スイッチと、前記第２カム側に向けて並列配置される複数の導電接点片を設け、前記第１傾動レバーの傾動時に、前記第１スイッチの接点部間を切換えるタイミングとは異なる別のタイミングで、該第２カムが第３導電接点片に接していた第４導電接点片を押して離間させた後、該第４導電接点片を第５導電接点片に接触させて接点部間を切換える第２スイッチとの両スイッチをスイッチケースに内蔵して設け、前記第２傾動レバーの内端部には、前記スイッチベースに傾動自在に軸支される第２軸支部と、前記スイッチベースに搭載されている第３スイッチの押しボタンに加圧対応させる第３カムとを設け、該第２傾動レバーの外端部には、前記ドアキーと対応する第２レバー受圧部を設けて構成することができる。
【００１４】
この場合も１つのスイッチケースに２つのスイッチを内蔵しているため、スイッチケースおよび第１傾動レバーを２つのスイッチの共通部品に利用できる。さらに、第１スイッチをオンオフするスイッチング動作と第２スイッチをオンオフするスイッチング動作との動作タイミングを、第１傾動レバーを傾動操作したときの各位置に正確に対応させることができる。例えば、第１傾動レバーの傾動操作時に、先に第１スイッチの接点部間を切換え、その後、少し遅れたタイミングで第２スイッチの接点部間を切換えるように設定できる。
【００１５】
また、導電接点片の配設方向に際しても、第１傾動レバーの第１軸支部を中心に放射状に導電接点片を配設しているため、この第１軸支部を中心に傾動する該第1傾動レバーの第１カムと第２カムとを効率よく導電接点片に対応させることができる。
【００１６】
この発明の他の形態として、前記第１スイッチと第２スイッチとの各々の導電接点片の外端部と、前記第３スイッチの外面に突出する端子の外端部とを同突出方向に揃えて構成することができる。
【００１７】
この場合は、全スイッチの導電接点片や端子の各外端部を同方向に揃えて突出させることができるため配線作業が容易になり、配線工数の低減を図ることができる。ことに、端子の外端部を同方向の同高さに揃えて突出させれば、より一層、配線作業が容易になる。
【００１８】
この発明の他の形態として、前記第１傾動レバーと第２傾動レバーは、レバーを軸支する軸支部からレバー外端部までの距離を長くとり、軸支部からレバー内端部までの距離を短くとって、前記各傾動レバーの軸支部を傾動支点とするレバー外端部側のレバー比をレバー内端部側のレバー比よりも大きく設定して構成することができる。
【００１９】
この場合は、レバー外端部側のレバー比を大きく設定してあるため、てこの原理により軸支部を傾動支点とする該レバー外端部側からの傾動操作力が小さくても、レバー内端部側には十分な傾動操作力を伝えることができる。従って、第１傾動レバーと第２傾動レバーとは傾動時の負荷抵抗が小さく、滑らかな動きが得られる。
【００２０】
この発明の他の形態として、前記スイッチケースに、前記第１傾動レバーを一体に組込んでなるスイッチユニットを構成することができる。
【００２１】
このスイッチユニットは、スイッチケースと第１傾動レバーとの２部品でありながら単品として扱うことができ、スイッチベースへの組立が容易になる。また、２部品を単品として予め組立てておくことができるため取扱いや管理も容易になる。
【００２２】
この発明の他の形態として、前記スイッチケースはケース本体とケースカバーとを組合せて構成し、前記ケース本体と同形状の凹部を前記スイッチベースのスイッチケース取付け面に形成することができる。
【００２３】
この場合は、２つのスイッチを組込むスイッチ収納部としてのケース本体と同形状の凹部をスイッチベースに既に形成してあるため、ここにスイッチ構成部品を直接組込むことができ、スイッチベースの一部でケース本体を代用できる。そして、この凹部の開放面にケースカバーを取付ければスイッチケースを構成することができる。従って、ケース本体を省略でき、部品点数の削減につながる。
【００２４】
この発明の他の形態として、前記スイッチケースはケース本体とケースカバーとを組合せて構成し、前記ケースカバーと同形状のカバー部を前記スイッチベースのスイッチケース取付け面に形成することができる。
【００２５】
この場合は、スイッチベースにケースカバーと同形状のカバー部が既に形成されているため、ここにケース本体を取付けるだけでスイッチケースを構成することができる。この場合もスイッチベースの一部でケースカバーを代用できるため、ケースカバーを省略して部品点数を削減できる。
【００２６】
この発明の他の構成として、食品を収納して加熱する加熱室と、前記加熱室に高周波を供給する高周波発生装置と、前記加熱室の開口面に対向し操作ピンを有する開閉自在な扉と、前記加熱室の加熱を行うための電源回路が導通するようにそれぞれ切り替わる複数のスイッチを有し、前記操作ピンの動作に連動し前記加熱室側方に位置するスイッチ取付板に装着された第１レバーを介して動作する信号スイッチと、前記扉の開閉動作に連動し第２レバーを介して動作するメインスイッチと、を備え、前記信号スイッチは前記第１レバーを介して動作するショートスイッチを内蔵したことを特徴とする。
【００２７】
この発明によれば、信号スイッチがショートスイッチを内蔵しているために、信号スイッチ用のマイクロスイッチと、ショートスイッチ用のマイクロスイッチと、を独立して備える必要がなくなって、簡潔な構造となるとともに、スペース的にも有利になって省スペース化を図ることができる。
【００２８】
この発明の他の構成として、食品を収納して加熱する加熱室と、前記加熱室に高周波を供給する高周波発生装置と、前記加熱室の開口面に対向し第１操作ピン及び第２操作ピンを有する開閉自在な扉と、前記加熱室の加熱を行うための電源回路が導通するようにそれぞれ切り替わる複数のスイッチを有し、前記第１操作ピンの動作に連動し前記加熱室側方に位置するスイッチ取付板に装着された第１レバーを介して動作する信号スイッチと、前記第２操作ピンの動作に連動して前記加熱室の前板に装着されたピンガイド及び前記スイッチ取付板に装着された第２レバーを介して動作するメインスイッチと、を備え、前記信号スイッチは前記第１レバーを介して動作するショートスイッチを内蔵したことを特徴とする。
【００２９】
この発明によれば、信号スイッチは、第１操作ピンの動作に連動し、加熱室側方に位置するスイッチ取付板に装着された第１レバーにより動作され、メインスイッチは、第２操作ピンの動作に連動し、加熱室の前板に装着されたピンガイド及びスイッチ取付板に装着された第２レバーにより動作される。そして、信号スイッチが、第１レバーを介して動作するショートスイッチを内蔵している。そのために、第１レバーにより、信号スイッチおよびショートスイッチを異なる時期に作動させることを容易に設定できる。
【００３０】
この発明の他の構成として、前記第１レバーを介して動作する前記信号スイッチと、前記ショートスイッチを内蔵したスイッチユニットは、前記加熱室の扉が開状態の場合、前記信号スイッチの接点がオフで、且つ前記ショートスイッチの接点がオン状態であり、前記加熱室の扉が閉じられると、前記第１レバーの第２操作部が前記ショートスイッチの可動接点部を押圧することで、前記ショートスイッチがオフからオンされた後に、第１レバーの第１操作部が前記信号スイッチの可動接点部を押圧してオンする構成としたことを特徴とする。
【００３１】
この発明によれば、加熱室の扉が閉じられたときに、第１レバーの第２操作部がショートスイッチの可動接点部を押圧してオフからオンしてから、第１レバーの第１操作部が信号スイッチの可動接点部を押圧してオンするために、ショートスイッチのオフから、信号スイッチのオンまでの間に予め定められた時間を設定することにより、扉の閉状態が確定されてからでないと、加熱室が作動しないようにできる。
【００３２】
この発明の他の構成として、前記スイッチユニットは、前記スイッチ取付板と、前記信号スイッチの接点部及び前記ショートスイッチの接点部を覆うスイッチカバーと、からなり、前記スイッチ取付板には、前記メインスイッチが装着され、且つ前記スイッチ取付板上に前記第１レバーの回転軸を設け、前記回転軸に前記第１レバーを挿入し、前記スイッチカバーで保持する構成としたことを特徴とする。
【００３３】
この場合は、スイッチ取付板に対して、スイッチカバーが装着されることによりスイッチユニットが被覆され、回転軸に対して第１レバーが挿入されることにより第１レバーが支持されるために、スイッチ取付板への組付けのみによる作業になり、それによって、自動組み付けの構造を簡潔にすることができる。
【００３４】
この発明の他の構成として、前記第１レバーからつたってきた液体の浸入を防止するために前記第１レバーの前記回転軸より前方に鍔を延ばしたことを特徴とする。
【００３５】
この場合は、第１レバーをつたってきた肉汁や水滴等の液体は、回転軸より前方に延ばされた鍔によってスイッチユニット内に浸入することがなく、外部へ除去されるので、スイッチユニット内に液体が浸入せずに、接点の腐食等、から起こりうる誤作動を回避することができる。
【００３６】
この発明の他の構成として、前記第１レバーからつたってきた液体の浸入による影響を受け難くするために前記第１レバーの前記回転軸より後方に前記スイッチユニット内部の接点部を設けたことを特徴とする。
【００３７】
この場合は、スイッチユニット内部の接点部が回転軸より後方に配置されているために、第１レバーをつたってきた肉汁や水滴等の液体がスイッチユニット内に浸入することがないので、接点の腐食等、から起こりうる誤作動を回避することができる。
【００３８】
この発明の他の構成として、前記第１レバーからつたってきた液体の浸入による影響を受け難くするために前記ショートスイッチの接点部を下側に設けたことを特徴とする。
【００３９】
この場合は、ショートスイッチの接点部が下側に配置されているために、第１レバーをつたってきた肉汁や水滴等の液体の進行路から離れており、それによって、液体の浸入による影響を受け難くすることができる。
【００４０】
この発明の他の構成として、前記信号スイッチと前記ショートスイッチとを内蔵した前記スイッチユニットの動作位置を、前記第１レバーと前記スイッチユニットとの外装の色の違いにより示すインジケータを備えたことを特徴とする。
【００４１】
この場合は、第１レバーとスイッチユニットとの外装の色を異なるようにすることで、接点のオン・オフ状態を確認することができる。
【００４２】
この発明の他の構成として、前記信号スイッチと前記ショートスイッチとを内蔵した前記スイッチユニットの動作位置を、前記第１レバーと前記スイッチユニットとの外装に設けた印により示すインジケータを備えたことを特徴とする。
【００４３】
この場合は、第１レバーとスイッチユニットとに設けた印によって、接点のオン・オフ状態を確認することができる。
【００４４】
この発明の他の構成として、前記信号スイッチと前記ショートスイッチとを内蔵した前記スイッチユニットの接続が誤配線されないようにするために前記スイッチユニットの外装の上側あるいは下側に突起を設けたことを特徴とする。
【００４５】
この場合は、スイッチユニットの上側あるいは下側に設けた突起により、スイッチユニット内の信号スイッチおよびショートスイッチに接続されるコネクタが誤組み付けされないために、コネクタを確実に組み付けることができる。
【００４６】
この発明の他の構成として、前記ショートスイッチに構成される接点の内の前記ショートスイッチと前記メインスイッチとでショート回路を構成する接点の片側を略Ｒ形状に形成したことを特徴とする。
【００４７】
この場合は、ショート回路を構成する接点がショートする時に、接点の片側が略Ｒ形状に形成されているために、接点間で発生するアーク電流が均等に流れることにより、接点が飛散することがなくなり、確実にショート回路を形成することができる。
【００４８】
この発明の他の構成として、前記第１レバーを可動させるためにできる前記スイッチ取付板と前記スイッチカバーとの隙間からの粉塵の侵入を防止するために前記スイッチ取付板の接点操作部を略櫛歯形状に形成したことを特徴とする。
【００４９】
この場合は、スイッチ取付板の接点操作部が略櫛歯形状に形成されているために、スイッチ取付板とスイッチカバーとが迷路状になっており、それにより、スイッチ取付板とスイッチカバーとの隙間からの粉塵の侵入を防止することができる。
【００５０】
この発明の他の構成として、前記第１レバーを可動させるためにできる前記スイッチ取付板と前記スイッチカバーとの隙間からの粉塵の侵入を防止するために前記スイッチ取付板と前記第１レバーの接点操作部にグリス溜りを形成したことを特徴とする。
【００５１】
この場合は、第１レバーの接点操作部に形成されたグリス溜りによって、第１レバーを可動させるためにできるスイッチ取付板とスイッチカバーとの隙間からの粉塵の侵入を防止することができる。
【００５２】
この発明の他の構成として、前記スイッチカバーを透明にしたことを特徴とする。
【００５３】
この場合は、透明なスイッチカバーにより、内部の接点状態を直接確認することができる。
【００５４】
この発明の他の構成として、前記スイッチユニットに内蔵された前記信号スイッチ及び前記ショートスイッチの接点同士は接触後にずれてワイピングするように構成されていることを特徴とする。
【００５５】
この場合は、信号スイッチの接点同士およびショートスイッチの接点同士が接触時にずれてワイピングされるために、各接点が常に洗浄されて、アークを発生させないようにし、電流による接点の溶着を防止することができる。
【００５６】
この発明の他の構成として、前記スイッチユニットに内蔵された前記ショートスイッチの接点片の弾性力により前記第１レバーを復帰させる構成としたことを特徴とする。
【００５７】
この場合は、第１レバーはショートスイッチの接点片の弾性反発力によって復帰動作をするようにすれば、第１レバーに戻しばね等の復帰部材を内蔵する必要がなくなって、部品点数の減少を図ることができる。
【００５８】
この発明の他の構成として、前記メインスイッチは前記第２レバーに対向し該第２レバーの回転軸を基準として第２レバーを操作する第２操作ピンあるいは第２操作キー側に配置したことを特徴とする。
【００５９】
この場合は、メインスイッチが第２レバーの接線上に配置されるために、第２レバーは、メインスイッチに内蔵されるスイッチ戻し機構によって直接戻し動作を行うことができ、それによって、第２レバーに内蔵される戻しばね等を省略して、部品点数を減少することができる。
【００６０】
この発明の他の構成として、前記第２レバーが押圧された際に前記第１レバーを押圧して、前記ショートスイッチがオフされた後に、前記メインスイッチをオンするための突起部を前記第２レバーに設けたことを特徴とする。
【００６１】
この場合は、第２レバーの回動に伴い、突起部によって第１レバーを回動させてショートスイッチをオフした後に、メインスイッチをオンすることにより、ドアが開いている状態で第２レバーが強制的に押されても（故意に押されても）ショート回路中のヒューズが溶断しないようにできる。
【発明の効果】
【００６２】
本発明によれば、１つのスイッチケースに２つのスイッチを組込むことができ、しかも第１傾動レバーの動きに連動させて両スイッチの接点部間をそれぞれ切換える共通部品として設けることができるため、部品点数を削減して低コスト化および小型化を図ることができる。また、第１傾動レバーの動きに連動する両スイッチの動作タイミングを任意にとれるため、信頼性の高い安定したスイッチの切換え性能が得られ、電子レンジに組込んだ場合に安全性の高いスイッチとして組込むことができる。
【発明を実施するための最良の形態】
【００６３】
以下、本発明の高周波加熱装置に係る複数の好適な実施の形態例を図面に基づいて詳細に説明する。
【００６４】
（第１実施形態）
図１および図２に示すように、本発明の第１実施形態である高周波加熱装置に用いられる電子レンジ用ドアスイッチ１１は、縦長の基板を起立して設けたスイッチベース１２の一壁面に、スイッチユニット１３と、マイクロスイッチ（以下ラッチスイッチと称す）ＳＷ１を取付け、他壁面にラッチスイッチ機構１４を取付けて構成している。
【００６５】
上述のスイッチユニット１３は、図３に示すように、スイッチケース１５に逆Ｌ形状の第１傾動レバー１６の下端部を組込んで一体に構成し、このスイッチケース１５の内部に後述する第３スイッチであるモニタスイッチＳＷ２と第１スイッチであるドアスイッチＳＷ３との両スイッチを並列に組込んでいる。そして、両スイッチを操作するための第１傾動レバー１６をスイッチケース１５に突出させた状態で、該スイッチケース１５をスイッチベース１２の一壁面の上部に取付けている。
【００６６】
このスイッチベース１２の一壁面の上部には、第１〜第３円筒軸１７ａ〜１７ｃを突設し、またスイッチベース１２の一壁面の下部には第４円筒軸１７ｄを突設している。このうち、第１円筒軸１７ａをスイッチユニット１３に挿通させた状態で、スイッチベース１２の一壁面の上部に突出する数個の係止爪１８にて、該スイッチユニット１３の外周囲を抜止め係止し、これによりスイッチユニット１３をスイッチベース１２に一体に取付けている。
【００６７】
上述の第１円筒軸１７ａをスイッチケース１５の取付け方向に貫通して設けた挿通孔１９に挿通させて、該スイッチケース１５をスイッチベース１２に位置決め固定して取付けている。
【００６８】
また、第２円筒軸１７ｂを第１傾動レバー１６に開口した長孔２０を挿通させて第１傾動レバー１６の動きに支障がないようにし、同様に第３円筒軸１７ｃも第１傾動レバー１６が傾動する範囲を避けた位置に突出させている。さらに、第２円筒軸１７ｂ〜第４円筒軸１７ｄは、その穴部がスイッチベース１２を電子レンジの図示しない筐体への取付けに用いられる。
【００６９】
さらに、スイッチベース１２の一壁面の上部に傾動許容爪２１を突設し、この傾動許容爪２１に第１傾動レバー１６の中間高さ位置に傾動方向に沿って開口した円弧形ガイド溝２２が係合して傾動ガイドされる。
【００７０】
上述の第１傾動レバー１６は下端部が、後述するスイッチケース１５の内部に組込まれて傾動自由に軸支され、この内部の軸支部を傾動支点に、該レバー上端部の第１レバー受圧部として突出する受圧突起２３が後述するドアを閉じたときのドアキーからの外力を受けて傾動される。この軸支部を傾動支点に傾動したとき、該レバー１６の下端面に形成した後述する第１カムと第２カムが後述するそれぞれのスイッチＳＷ２，ＳＷ３のスイッチング操作を行う。
【００７１】
一方、ラッチスイッチ機構１４は、第２スイッチであるラッチスイッチＳＷ１と、第２傾動レバー２４とを組合せて構成される。ラッチスイッチＳＷ１は、スイッチベース１２の他壁面に突出する一対の取付け軸２５に、該ラッチスイッチＳＷ１に横貫した一対の貫通孔２６を貫通させて軸支し、また上下一対の係合爪２７にてラッチスイッチＳＷ１をスイッチベース１２に一体に係合固定している。
【００７２】
上述の第２傾動レバー２４はＬ形状を有し、そのＬ形状の屈曲位置に設けた軸支孔２８を、図４に示すように、スイッチベース１２の他壁面に突出する支点軸２９に傾動自由に挿通させて軸支し、またスイッチベース１２の他壁面の上部に突出する傾動許容爪３０で該レバー２４の傾動ガイド溝３１に係合させて、第２傾動レバー２４をスイッチベース１２に抜止め支持している。
【００７３】
さらに、第２傾動レバー２４のＬ形状に形成された下端部に突出する第３カム３２をスイッチベース１２の横貫口３３に貫通させて一壁面側に取付けられたラッチスイッチＳＷ１の押しボタン３４の上面に対向させて配置し、第２傾動レバー２４の上端部に突出する第２レバー受圧部としての受圧片３５が後述するドアキーからの外力(ドアを閉じたときの閉鎖力)を受けることに基づいて軸支孔２８を傾動支点に傾動する。このとき、該レバー２４の下端部に突出するスイッチ操作用の第３カム３２が、ラッチスイッチＳＷ１の押しボタン３４を押圧してスイッチング操作を行う。また、押下解除に基づいて、この傾動レバー２４は押しボタン３４の復帰作用を受けて元の位置に傾動して戻り、ラッチスイッチＳＷ１も元の状態に切換えられる。
【００７４】
また、軸支孔２８と同心円上の第２傾動レバー２４に半円形に突出する傾動ガイド片３６を、スイッチベース１２の他壁面の下部に突出する傾動ガイド爪３７で傾動ガイドして該レバー２４を傾動ガイドしている。
【００７５】
図５はスイッチユニット１３の外観図を示し、スイッチケース１５に第１傾動レバー１６の下端部を組込んで一体に設けている。
【００７６】
この場合、スイッチユニット１３はスイッチケース１５と第１傾動レバー１６との２部品でありながら単品として扱うことができ、予めスイッチユニット１３を個別に製作しておくことができるため、該スイッチユニット１３ならびに電子レンジ用ドアスイッチの組立、製作および管理が容易になるほか品質を選択できる。例えば、ケース本体およびケースカバーを耐熱性に優れた熱硬化性樹脂を用い、スイッチベース１２を安価な熱可塑性樹脂を用いるなど樹脂材料別に製作することができる。
【００７７】
このスイッチケース１５の内部は図６に示すように、第１傾動レバー１６と、復帰バネ３８と、第１〜第５端子Ｔ１〜Ｔ５と、これらを組込むケース本体３９と、その開口面を覆う平板状のケースカバー４０とから構成される。
【００７８】
上述の第１傾動レバー１６の下端部には、後述するケース本体３９に組込まれて傾動自由に軸支される軸支孔４１と、該レバー１６を待機位置に付勢支持する環状の復帰バネ３８を取付けるバネ取付け部４２と、スイッチング操作用の第１カムＣ１と第２カムＣ２とを有している。
【００７９】
ケース本体３９は、片面を開放した凹部内面の上部の側面を一部レバー取付け用に開口し、その開口部４３と対向する凹部内面に傾動支点軸４４を突設し、ここに第１傾動レバー１６の軸支孔４１を挿通して傾動自由に取付け、この傾動支点軸４４を傾動支点に第１傾動レバー１６はスイッチング操作可能な範囲で傾動する。
【００８０】
次に、スイッチユニット１３の内部構造について具体的に説明する。図７および図８はケース本体３９への組込み状態を示し、このケース本体３９は中央部を上下方向に延びる仕切り板４５で仕切って左右に空洞部４６，４７を有し、これらの空洞部４６，４７にドアスイッチＳＷ３とモニタスイッチＳＷ２とを、この順に並列配置している。また、その上方に第１傾動レバー１６の第２カムＣ２と第１カムＣ１を対応させている。
【００８１】
先ず、ドアスイッチＳＷ３は、第１端子Ｔ１と、第２端子Ｔ２と、第２カムＣ２とから構成され、ケース本体３９の下部一側(図中左側)に形成した圧入溝３９ａ，３９ｂに細長い直板状の導電性の板バネ片を用いた第１、第２端子Ｔ１，Ｔ２の下部を圧入固定している。これら２個の端子Ｔ１，Ｔ２はケース本体３９の下面より配線用に外端部を整列して突出させ、内端部を接点用にケース本体３９の内方の空洞部４６に略平行状態に対峙させて取付けている。そして、第１端子Ｔ１の内端部には、前記第２カムＣ２が対向し、該第２カムＣ２の動きに応じて第１端子Ｔ１の内端部(自由端)側を第２端子Ｔ２の内端部(自由端)側に接触または離間させてオンオフする接点切換え構造を有している。
【００８２】
モニタスイッチＳＷ２は、第３端子Ｔ３と、第４端子Ｔ４と、第５端子Ｔ５と、第１カムＣ１とから構成され、ケース本体３９の下部他側(図中右側)に形成した圧入溝３９ｃ〜３９ｅに細長い直板状の導電性の板バネ片を用いた第３〜第５端子Ｔ３〜Ｔ５を圧入固定している。これら３個の端子Ｔ３〜Ｔ５はケース本体３９の下面より配線用に外端部を整列して突出させ、内端部を接点用にケース本体３９の内方の空洞部４７に略平行状態に臨ませている。
【００８３】
さらに、仕切り板４５よりモニタスイッチＳＷ２側の空洞部４７に端子保持片４８を延設し、この端子保持片４８の圧入溝３９ｆに第３端子Ｔ３の内端部を圧入固定している。この第３端子Ｔ３の内端部側に、内端部を階段状に形成した第４端子Ｔ４の屈曲部Ｔ４１を接触させている。そして、この屈曲部Ｔ４１の自由端側に第１カムＣ１が対応し、該第１カムＣ１の動きに応じて第４端子Ｔ４の自由端側を第３端子Ｔ３より離間させた後、第５端子Ｔ５の自由端側に接触させて接点を切換える接点切換え構造を有している。
【００８４】
このように、第１端子Ｔ１と第４端子Ｔ４は、接点部間を切換える可動端子に該当し、後述する第１傾動レバー１６の下面に形成された第１カムＣ１および第２カムＣ２の押圧力を受けて弾性変位する。また、第１〜第５端子Ｔ１〜Ｔ５は、第４端子Ｔ４を除いて同形状を有し、ケース本体３９に圧入して取付ける向きが異なるだけで同一部品であるため、共用することができる。
【００８５】
さらに、第１カムＣ１と第２カムＣ２との間の第１傾動レバー１６にはストッパ溝４９を切欠き形成しており、このストッパ溝４９がその下方に対応する仕切り板４５のストッパ部兼用に設けた頂部４５ａに係止されている。このストッパ溝４９の溝長さによって第１傾動レバー１６が傾動したときのカムの操作量を設定している。
【００８６】
そして、ケース本体３９の凹部に第１傾動レバー１６と復帰バネ３８と各端子Ｔ１〜Ｔ５を組込んだ後、ケース本体３９の両側および頂部に突出する係止突起３９ｇにケースカバー４０の係止爪４０ａを係止させて接続することにより、ケース本体３９の開放面を閉鎖して一体に連結する。
【００８７】
次に、図９を参照して、電子レンジ用ドアスイッチ１１の接点部間の切換え動作を説明する。
【００８８】
通常、図９（Ａ）に示すように、第１傾動レバー１６の受圧突起２３が押下されていないときは、第１傾動レバー１６が復帰バネ３８で付勢されて受圧突起２３が押下可能な待機状態にある。このとき、モニタスイッチＳＷ２側は第３端子Ｔ３に第４端子Ｔ４が接触した常閉接点に設定された導通状態にあり、第５端子Ｔ５とは非接触の常開接点に設定された非導通状態にある。
【００８９】
また、ドアスイッチＳＷ３側にあっては、第１端子Ｔ１と第２端子Ｔ２とは非接触の常開接点に設定された非導通状態にある。
【００９０】
受圧突起２３が外力を受け始めて、図９（Ｂ）に示すように、第１傾動レバー１６の初期傾動時に、第１傾動レバー１６と一体の第１カムＣ１が第４端子Ｔ４の自由端側を押して、第３端子Ｔ３との接点部間を離す方向に弾性変位させる。これにより、第３端子Ｔ３と第４端子Ｔ４との接点部間が離れて非導通になる。その後、同変位方向に対向する第５端子Ｔ５の接点部に第４端子Ｔ４が加圧接触して導通状態になる。
【００９１】
さらに、第１傾動レバー１６を傾動させると、図９（Ｃ）に示すように、続いて第２カムＣ２が第１端子Ｔ１の自由端側を加圧して弾性変位させる。この弾性変位に基づいて第１端子Ｔ１が対向する第２端子Ｔ２の接点部に加圧接触して導通状態になり、ドアスイッチＳＷ３は閉に切換えられる。
【００９２】
また、前記受圧突起２３よりも後退した待機位置にあるラッチスイッチ機構１４側の受圧片３５は第１傾動レバー１６に遅れて押されることになり、第１傾動レバー１６、第２傾動レバー２４の順におされて第２傾動レバー２４が傾動したとき、第３カム３２がラッチスイッチＳＷ１の押しボタン３４を押下する。
【００９３】
そして、第１傾動レバー１６の外力が除かれると、第１傾動レバー１６は復帰バネ３８の復帰力を受けて元の押下待機位置に戻り、両側の弾性変位されていた端子Ｔ１，Ｔ４も同様に弾性復帰して元の位置に戻り、接点部間は、図９（Ａ）に示した元の待機状態に戻る。
【００９４】
同じく、第２傾動レバー２４側も略同時に外力が除かれて、第２傾動レバー２４は押しボタン３４の復帰力を受けて元の押下待機位置に戻り、接点部間はオンからオフに切換えられ、元の待機状態に戻る。
【００９５】
このように、並列する一方のモニタスイッチＳＷ２と他方のドアスイッチＳＷ３とが、ユニットケース１５内の両側の定位置に配置されるため、取付け位置のバラツキがなくなり、また両側のスイッチＳＷ２，ＳＷ３は第１傾動レバー１６の動きに伴う一方のモニタスイッチＳＷ２の接点切換えタイミングと他方のドアスイッチＳＷ３の接点切換えタイミングを異ならせた任意の接点の切換え構成が容易に得られる。
【００９６】
このため、各スイッチに対しては傾動操作に伴う高精度のタイミングで接点部間の切換え操作ができる。
【００９７】
また、１つのスイッチケース１５に２つのスイッチＳＷ２，ＳＷ３を組込むことができるため、共通部品として有効利用でき、コンパクトに製作できる。ことに、第１傾動レバー１６は単一の部品でありながらレバー機能とカム機能とを有し、しかも１回の傾動操作で双方のスイッチＳＷ２，ＳＷ３をスイッチング操作できる共通部品であるためスイッチの部品点数を削減することができる。
【００９８】
さらに、図１０にも示すように、モニタスイッチＳＷ２とドアスイッチＳＷ３との各々の端子Ｔ１〜Ｔ５の外端部と、ラッチスイッチＳＷ３の下面に突出する端子Ｔ６，Ｔ７の外端部とを、同突出方向に揃えている。これにより、端子の向きと位置が配線作業に容易な配置構成がとれ、配線工数の低減を図ることができる。
【００９９】
さらに、第１傾動レバー１６と第２傾動レバー２４は、レバーを軸支する軸支部からレバー外端部までの距離を長くとり、軸支部からレバー内端部までの距離を短くとって、各傾動レバー１６，２４の軸支部を傾動支点とするレバー外端部側のレバー比をレバー内端部側のレバー比よりも大きく設定している。
【０１００】
このため、軸支部を傾動支点とする該レバー外端部側からの傾動操作力は、てこの原理により小さな力で、レバー内端部側に効率よく傾動操作力を伝えることができる。従って、第１傾動レバー１６と第２傾動レバー２４とは傾動時の負荷抵抗が小さく、滑らかな動きが得られる。
【０１０１】
図１１はスイッチユニット１３を備えた電子レンジ用ドアスイッチ１１の組込み状態を示し、この電子レンジ用ドアスイッチ１１は電子レンジの縦開きドアのドアキー５０と対向する本体フレーム５１の上部に開口する上部窓５２に第１傾動レバー１６の受圧突起２３を臨ませ、その下部に開口する下部窓５３に第２傾動レバー２４の受圧片３５を臨ませて取付ける。
【０１０２】
これらと対向するドアキー５０の対向面上部には上部爪５４を、下部には下部爪５５を突設し、ドアの開閉操作に伴って押圧される受圧突起２３と受圧片３５が進退してスイッチング操作される。
【０１０３】
この場合、スイッチング操作時（ドア閉鎖時）の外力を受ける方向と同方向に第１傾動レバー１６の傾動方向を合せて取付けている（図においては水平方向）。これにより、外力を受けたときは、第１傾動レバー１６が斜め下向きに押し下げられて傾動し、この第１傾動レバー１６の傾動する動きに連動して両側のスイッチＳＷ２，ＳＷ３は正確に接点が切換わる。
【０１０４】
図１２は電子レンジ用ドアスイッチの電気回路図を示し、この電子レンジ用ドアスイッチ１１を構成する各スイッチＳＷ１，ＳＷ２，ＳＷ３の端子は、図に示す如く、電子レンジの回路に接続されている。
【０１０５】
図１３は電子レンジ用ドアスイッチ１１を構成する各ＳＷ１，ＳＷ２，ＳＷ３のタイムチャートを示し、ラッチスイッチＳＷ１とドアスイッチＳＷ３は、電子レンジのドアが開放された押下待機状態のときは開状態を保ち、ドアが閉じられた押下操作時は閉信号が出力される。一方、モニタスイッチＳＷ２は電子レンジのドアが開放されている押下待機状態ＦＰ（フリーポジション）のときは閉状態を保ち（第３端子Ｔ３と第４端子Ｔ４が導通）、ドアが閉じられて押下操作されたときは開となる（第４端子Ｔ４と第５端子Ｔ５が導通）。このときは、例えば出力された信号により電子レンジの調理ランプが点灯される。
【０１０６】
この電子レンジは、ラッチスイッチＳＷ１およびドアスイッチＳＷ３が閉になったとき、通電して調理可能に作動し、開になったとき作動を停止する。ところが、これらのＳＷ１，ＳＷ３の接点部分に、仮に接点溶着などの不具合が生じると、ドアが開けられてもスイッチＳＷ１，ＳＷ３の接点部間が開にならない場合が発生する恐れがある。このときは、電子レンジの電磁波を出力させて危険になるので最後にモニタスイッチＳＷ２の常閉接点が閉になり、電源回路を短絡するためヒューズを溶断して電源を遮断する回路構成を有している。これにより、安全を確保している。
【０１０７】
図１４は電子レンジ用ドアスイッチの他の実施の形態を示し、この電子レンジ用ドアスイッチ１４１はスイッチベース１４２の一壁面に、ケース本体と同凹形状のスイッチ収納部１４３を形成し、このスイッチ収納部１４３にスイッチユニット１４４を構成する復帰バネ１４５と、第１〜第５端子Ｔ１１〜Ｔ１５と、第１傾動レバー１４６とを組付け、その開口面をケースカバー１４７で閉鎖して一体に組付けるようにしたものである。
【０１０８】
この場合は予めスイッチベース１４２に形成されたスイッチ収納部１４３にスイッチ構成部品を直接組込んで構成できるため、スイッチベース１４２の一部でケース本体を代用できる。この結果、部品点数の削減が図れる。
【０１０９】
図１５は電子レンジ用ドアスイッチの他の実施の形態を示し、この電子レンジ用ドアスイッチ１５１はスイッチベース１５２の一壁面に、ケースカバーと同形状のカバー部１５３を形成し、このカバー部１５３に、復帰バネ１５４と、第１〜第５端子Ｔ２１〜Ｔ２５と、第１傾動レバー１５５とを組込んだケース本体１５６組付けるようにしたものである。
【０１１０】
この場合もスイッチベース１５２にケースカバーと同形状のカバー部１５３が既に形成されているため、スイッチベース１５２の一部でケースカバーを代用できる。そして、ここにケース本体１５６を取付けるだけで、スイッチユニットを構成することができる。このため、ケースカバーを省略でき、部品点数を削減できる。
【０１１１】
上述のように、１つのスイッチケースにモニタスイッチとドアスイッチとの２つのスイッチを収納するだけでなく、第１傾動レバーを介して両スイッチをスイッチング操作することができるため、スイッチケースおよび第１傾動レバーを共通部品として利用できる。この結果、部品点数を削減して低コスト化、省スペース化および小型化を図ることができる。また、２つのスイッチは、スイッチケース内の定位置に配置するため取付け位置のバラツキがなくなり、また傾動動作に連動してスイッチング操作するため、スイッチ間の動作タイミングが正確であり、信頼性の高い安定したスイッチング操作ができる。
【０１１２】
（第２実施形態）
次に、図１６〜２３を参照して、本発明の高周波加熱装置の第２実施形態について説明する。図１６は第２実施形態の高周波加熱装置に用いられる電子レンジ用ドアスイッチを一方の面から見た外観斜視図、図１７は図１６の電子レンジ用ドアスイッチを他方の面から見た外観斜視図、図１８は図１６に示す電子レンジ用ドアスイッチの分解斜視図、図１９は図１７に示す電子レンジ用ドアスイッチの分解斜視図、図２０は図１６に示す電子レンジ用ドアスイッチにおけるスイッチユニットの断面図、図２１は回路構成における不具合例、図２２は本発明の回路構成図、図２３（ａ）〜（ｃ），図２４（ａ）〜（ｃ），図２５（ａ）〜（ｄ）は動作説明図である。なお、第１実施形態と同一または同等部分については、説明を省略或いは簡略化する。
【０１１３】
図１６に示すように、高周波加熱装置に用いられる電子レンジ用ドアスイッチ２００は、スイッチ取付板２０１と、第１レバー２０３を組み込んだスイッチユニット２０２と、第２レバー２０４と、第２スイッチであるメインスイッチ２０５と、から構成されている。
【０１１４】
スイッチ取付板２０１には、その一方の面２０６の上方部に第１レバー２０３を取り付けるための突起２０７と、第１レバー２０３を回動自在に支持するための回転軸２０８と、が立設され、回転軸２０８を囲んで配置されたスイッチユニット固定部２０９に、回転軸２０８に第１レバー２０３が挿入されたスイッチユニット２０２が組み付けられている。また、突起２０７の後方に配置されたメインスイッチ固定部２１０にメインスイッチ２０５が組み付けられている。
【０１１５】
図１７に示すように、スイッチ取付板２０１には、その他方の面２１１の中央部に第２レバー２０４を回動自在に支持するための回転軸２１２が立設され、第２レバー２０４に形成されたカム２１３が、中央部に形成された横孔２１４を挿通して一方の面２０６上に突出されている。
【０１１６】
図１８に示すように、スイッチ取付板２０１は、スイッチユニット固定部２０９が、一方の面２０６上に突出する３個の係止爪２１５と、スイッチカバー２１６を囲むように突出形成されたリブ２１７と、を有する。スイッチユニット固定部２０９には、第１レバー２０３の長孔２１８が突起２０７に挿通され、第１レバー２０３の枢支孔２１９が回転軸２０８に挿通されたスイッチユニット２０２において、スイッチカバー２１６の外周に突出形成された３個の凸片２２０が係止爪２１５に係合することによって一体に取付けられている。このとき、第１レバー２０３は、円弧状ガイド孔２２１が一方の面２０６上に突出形成された傾動許容爪２２２に係合されることによって、スイッチ取付板２０１に抜け止めされて傾動ガイドされる。第１レバー２０３には、受圧突起２２３が突出形成されている。受圧突起２２３は、ドアを閉じた時にドアキーから与えられた外力によって第１レバー２０３を回動させる。このとき、スイッチ取付板２０１に対して、スイッチカバー２１６が装着されることによりスイッチユニット２０２が被覆され、突起２０７に対して第１レバー２０３が挿入されることにより第１レバー２０３が支持されるために、スイッチ取付板２０１への組付けのみによる作業になり、それによって、自動組み付けの構造を簡潔にすることができる。
【０１１７】
また、スイッチ取付板２０１は、メインスイッチ固定部２１０が、一方の面２０６上に突出する一対の取付け軸２２４と、上下一対の係合爪２２５と、を有する。メインスイッチ固定部２１０には、一対の取付け軸２２４に、メインスイッチ２０５に横貫した一対の貫通孔２２６を貫通させて軸支し、一対の係合爪２２５によってメインスイッチ２０５が一体に取付けられている。メインスイッチ２０５は第２レバー２０４の接線上に配置されている。そのために、第２レバー２０４は、メインスイッチ２０５に有する押しボタン２２７が復帰する際の反発力によって直接戻し動作を行うことができるので、戻しばね等を内蔵する必要がなくなって、部品点数を減少することができる。
【０１１８】
図１９に示すように、スイッチ取付板２０１は、他方の面２１１上の回転軸２１２に、第２レバー２０４の枢支孔２２８が回動自在に組み付けられている。第２レバー２０４は、Ｖ字形状の外形に形成されており、一方の端部に受圧片２２９が形成され、他方の端部にカム２１３が形成されている。受圧片２２９は、ドアキーからの外力を受けることに基づいて第２レバー２０４を回動させるために、カム２１３によってメインスイッチ２０５の押しボタン２２７をオンさせる。第２レバー２０４は、円弧状ガイド孔２３０，円弧状ガイド突起２３１が、他方の面２１１上に突出形成された傾動許容片２３２，２３３に係合されることによって、スイッチ取付板２０１に抜け止めされて傾動ガイドされる。
【０１１９】
スイッチユニット２０２は、スイッチカバー２１６内に、第１レバー２０３の基部２３４が回動自在に収容されており、基部２３４の外周部に、第１，第２操作部２３５，２３６が径方向に突出形成されている。また、スイッチカバー２１６内に、第１スイッチである信号スイッチ２５０を構成する、常開可動接点端子２５１，固定接点端子２５２と、第３スイッチであるショートスイッチ２５３を構成する、第１固定接点端子２５４，常閉可動接点端子２５５，第２固定接点端子２５６が組み付けられている。信号スイッチ２５０とショートスイッチ２５３との動きは、第１実施形態と同様であるため、詳細な説明は省略する。スイッチカバー２１６は、透明に形成されても良い。そうすれば、内部の接点状態を直接確認することができる。
【０１２０】
第２レバー２０４には、突起部２４０が設けられている。突起部２４０は、受圧片２２９がドアキーからの外力を受けることにより押圧された際に、第１レバー２０３を押圧回動させることにより、ショートスイッチ２５３がオフした後に、メインスイッチ２０５をオンすることができる。
【０１２１】
ここで、スイッチユニット２０２が、信号スイッチ２５０とショートスイッチ２５３とを内蔵しているために、信号スイッチ用のマイクロスイッチと、ショートスイッチ用のマイクロスイッチと、を独立して備える必要がなくなって、簡潔な構造となるとともに、スペース的にも有利になって省スペース化を図ることができる。また、信号スイッチ２５０は、第１操作ピンの動作に連動し、加熱室側方に位置するスイッチ取付板２０１に装着された第１レバー２０３により動作され、メインスイッチ２０５は、第２操作ピンの動作に連動し、加熱室の前板に装着されたピンガイド及びスイッチ取付板２０１に装着された第２レバー２０４により動作される。そして、信号スイッチ２５０が、第１レバー２０３を介して動作するショートスイッチ２５０を内蔵している。そのために、第１レバー２０３により、信号スイッチ２５０およびショートスイッチ２５３を異なる時期に作動させることを容易に設定できる。また、加熱室の扉が閉じられたときに、第１レバー２０３の第１操作部２３５がショートスイッチ２５３の可動接点部を押圧してオフからオンしてから、第１レバー２０３の第２操作部２３６がショートスイッチ２５３の可動接点部を押圧してオンするために、ショートスイッチ２５３のオフから、信号スイッチ２５０のオンまでの間に予め定められた時間を設定することにより、扉の閉状態が確定されてからでないと、加熱室が作動しないようにできる。
【０１２２】
スイッチユニット２０２では、信号スイッチ２５０を構成する、常開可動接点端子２５１，固定接点端子２５２の接点部と、ショートスイッチ２５３を構成する、第１固定接点端子２５４，常閉可動接点端子２５５，第２固定接点端子２５６の接点部、が突起２０７，２０８より後方に配置されている。そのために、第１レバー２０３をつたってきた肉汁や水滴等の液体がスイッチユニット２０２内に浸入することがないので、接点部の腐食等、から起こりうる誤作動を回避することができる。また、ショートスイッチ２５３を構成する、第１固定接点端子２５４，常閉可動接点端子２５５，第２固定接点端子２５６の接点部が下側に配置されているために、第１レバー２０３をつたってきた肉汁や水滴等の液体の進行路から離れており、それによって、液体の浸入による影響を受け難くすることができる。また、ショートスイッチ２５３とメインスイッチ２０５とでショート回路を構成する接点部の片側が略Ｒ形状に形成されている。そのために、接点部がショートする時に、接点部の片側が略Ｒ形状に形成されているために、飛散することがなくなり、確実にショート回路を形成することができる。また、信号スイッチ２５０及びショートスイッチ２５３の接点部同士は接触後にずれてワイピングするように構成されている。そのために、信号スイッチ２５０の接点部同士およびショートスイッチ２５３の接点部同士が接触時にずれてワイピングされるので、各接点部が常に洗浄されて、アークを発生させないようにして漏れ電流を防止することができる。また、ショートスイッチ２５３の接点片の弾性力により第１レバー２０３が復帰される。これにより、第１レバー２０３に戻しばね等の復帰部材を内蔵する必要がなくなって、部品点数の減少を図ることができる。
【０１２３】
第１レバー２０３には、基部２３４の上方に、回転軸より前方に延ばされた鍔２３７が形成されている。また、基部２３４の下側に、グリス溜り２３８が外周に向けてＬ字形状に突出形成されている。鍔２３７は、第１レバー２０３をつたってきた肉汁や水滴等の液体が、スイッチユニット２０２内に浸入しないようにして、外部へ除去するために、スイッチユニット２０２内に液体が浸入せずに、接点の腐食等、から起こりうる誤作動を回避することができる。グリス溜り２３８は、第１レバー２０３を可動させるためにできるスイッチ取付板２０１とスイッチカバー２１６との隙間からの粉塵の侵入を防止するとともに、基部２３４に塗布されるグリスが接点側に流れ込まないようにする。
【０１２４】
ここで、第１レバー２０３とスイッチユニット２０２との外装の色の違いにより示すインジケータを備えるのが好ましい。そうすれば、信号スイッチ２５０とショートスイッチ２５３とを内蔵したスイッチユニット２０２の動作位置、特に、接点のオン・オフ状態を確認することができる。また、第１レバー２０３とスイッチユニット２０２との外装に設けた印により示すインジケータを備えても良い。そうすれば、接点のオン・オフ状態を確認することができる。また、スイッチユニット２０２の外装の上側あるいは下側に突起を設けても良い。そうすれば、スイッチユニット２０２内の信号スイッチ２５０およびショートスイッチ２５３に接続されるコネクタが誤組み付けされないために、コネクタを確実に組み付けることができる。
【０１２５】
図２０に示すように、スイッチ取付板２０１のリブ２１７と、スイッチカバー２１６の端縁とは、略櫛歯形状に形成されている。そのため、スイッチ取付板２０１とスイッチカバー２１６の端縁とが迷路状になっているので、スイッチ取付板２０１とスイッチカバー２１６との隙間からの粉塵の侵入を防止することができる。
【０１２６】
従来、ドアが開いている状態で、例えば、細い針金等を用いて第２レバー２０４が強制的に押圧された場合、ドアは開状態にあるので、ショートスイッチ２５３はオン状態にあり、それによって、ヒューズが溶断する。これを解決するための手段として、１つは、図２１に示すように、常閉のショートスイッチ２５３をメインスイッチ２０５およびリレー接点ＲＬ−１の下流側に並列に接続することが考えられる。しかし、このようにすると、メインスイッチ２０５が溶着した場合、第１レバー２０３が押し込まれてショートスイッチ２５３はオフした後に信号スイッチ２５０がオンしてリレー接点ＲＬ−１が閉じて電源回路が形成される。この状態で、調理スタートボタンが押されると、ドアが開いているのにマグネトロンが作動し、電磁波漏れが発生する。
【０１２７】
これに対し、図２２に示すように、本発明では、ショートスイッチ２５３をメインスイッチ２０５とヒューズＦの下流側に並列に接続し、リレー接点ＲＬ−１をショートスイッチ２５３とヒューズＦとの接続点よりも下流側に直列に接続した。このような回路構成にすることにより、メインスイッチ２０５が溶着した場合にのみヒューズＦを溶断させ、リレー接点ＲＬ−１が溶着した場合、第１レバー２０３が押し込まれてショートスイッチ２５３はオフするが、コンシールされた第２レバー２０４は押し込まれないために、メインスイッチ２０５はオフ状態を保ち、電源回路は形成されない。この状態で調理スタートボタンが押されてもマグネトロンは作動せずに、電波漏れを発生しないようにできる。これにより、ドアが開いている状態で第２レバー２０４が強制的に押されたとしても、第２レバー２０４に連動して第１レバー２０３を動作させて、ショートスイッチ２５３をオフすることができる。
【０１２８】
次に、図２３（ａ）〜（ｃ），図２４（ａ）〜（ｃ），図２５（ａ）〜（ｄ）を参照して動作を説明する。
【０１２９】
まず、図２３（ａ）〜（ｃ），図２４（ａ）〜（ｃ）を参照して通常の動作について説明する。
図２３（ａ）に示すように、扉５００が開いていると、第１レバー２０３および第２レバー２０４は復帰位置にあり、ショートスイッチ２５３がオン、信号スイッチ２５０がオフ、メインスイッチ２０５がオフである。扉５００が閉じられてくると、第１レバー２０３の受圧突起２２３が押圧されるために、第１レバー２０３が回動を始める。
【０１３０】
図２３（ｂ）に示すように、扉５００が閉じられてきても、第２レバー２０４は押圧されないために、第１レバー２０３のみが回動され、第１操作部２３５により常閉可動接点端子２５５が押圧されて第１固定接点端子２５５から離れてショートスイッチ２５３がオフされる。
【０１３１】
図２３（ｃ）に示すように、第２レバー２０４が押圧されないまま、第１レバー２０３のみが押圧されるので、第１操作部２３５により常閉可動接点端子２５５が押圧されて第２固定接点端子２５６に電気的に接続されてショートスイッチ２５３がオンされる。そして、第２操作部２３６によって信号スイッチ２５０の常開可動接点端子２５１が押圧され始める。
【０１３２】
図２４（ａ）に示すように、第１レバー２０３の回動によって、第２操作部２３６に押圧された常開可動接点端子２５１が固定接点端子２５２に電気的に接続されて信号スイッチ２５０がオンされる。そして、扉５００によって第２レバー２０４が押圧され始める。
【０１３３】
図２４（ｂ）に示すように、扉５００の閉動作に伴い、ショートスイッチ２５３がオフされてから、信号スイッチ２５０がオンされた後に、第１レバー２０３とは独立して第２レバー２０４が回動されることにより、メインスイッチ２０５がオンされる。
【０１３４】
図２４（ｃ）に示すように、ショートスイッチ２５３がオフ、信号スイッチ２５０がオン、メインスイッチ２０５がオンで扉５００が閉じられる。
【０１３５】
次に、図２５（ａ）に示すように、扉５００が開いている状態においては、第２レバー２０４は復帰位置Ａ０にあり、ショートスイッチ２５３がオン、信号スイッチ２５０がオフ、メインスイッチ２０５がオフである。
【０１３６】
図２５（ｂ）に示すように、受圧片２２９が外力を受けて、第２レバー２０４が復帰位置Ａ０から位置Ａ１まで強制的に押圧回動されると、突起部２４０が第１レバー２０３を押圧回動させる。第１レバー２０３が回動されることで、第１操作部２３５がショートスイッチ２５３の常閉可動接点２５５を押動させるために、ショートスイッチ２５３がオフされる。
【０１３７】
図２５（ｃ）に示すように、第２レバー２０４がさらに押圧されて、位置Ａ１から位置Ａ２まで回動されると、メインスイッチ２０５がオンされる。
【０１３８】
図２５（ｄ）に示すように、第２レバー２０４がさらに押圧されて、位置Ａ２から位置Ａ３まで回動されると、第２レバー２０４は回動が終了される。このとき、メインスイッチ２０５はオンであり、信号スイッチ２５０はオフのままである。そのため、第２レバー２０４の回動に伴い、突起部２４０によって第１レバー２０３を回動させてショートスイッチ２５３をオフした後に、メインスイッチ２０５をオンする。これにより、ドアが開いている状態で第２レバー２０４が強制的に押されても（故意に押されても）ショート回路中のヒューズが溶断しないようにできる。
【０１３９】
なお、この発明の構成と、上述の実施の形態の構成との対応において、
この発明における第１実施形態の第１スイッチは、実施の形態のモニタスイッチＳＷ２に対応し、
以下同様に、
第２スイッチは、ドアスイッチＳＷ３に対応し、
第３スイッチは、ラッチスイッチＳＷ１に対応し、
第１軸支部は、軸支孔４１と傾動支点軸４４に対応し、
第２軸支部は、軸支孔２８と支点軸２９に対応し、
第１レバー受圧部は、受圧突起２３に対応し、
第２レバー受圧部は、受圧片３５に対応し、
第１〜第５導電接点片は、第１〜第５端子Ｔ１〜Ｔ５，Ｔ１１〜Ｔ１５，Ｔ２１
〜Ｔ２５に対応するも、
この発明は請求項に示される技術思想に基づいて応用することができ、上述の
実施の形態の構成のみに限定されるものではない。
【図面の簡単な説明】
【０１４０】
【図１】本発明の第１実施形態の高周波加熱装置に用いられる電子レンジ用ドアスイッチの一壁面側を示す外観斜視図である。
【図２】電子レンジ用ドアスイッチの他壁面側を示す外観斜視図である。
【図３】電子レンジ用ドアスイッチを一壁面側から見た分解斜視図である。
【図４】電子レンジ用ドアスイッチを他壁面側から見た分解斜視図である。
【図５】スイッチユニットを示す外観斜視図である。
【図６】スイッチユニットの内部構造を示す分解斜視図である。
【図７】スイッチユニットの組込み状態を示す斜視図である。
【図８】スイッチユニットの内部の接点構造を示す正面図である。
【図９】スイッチユニットの接点切換え状態を示す動作説明図である。
【図１０】第１傾動レバーと第２傾動レバーの傾動状態を示す斜視図である。
【図１１】電子レンジ用ドアスイッチの組込み状態を示す要部斜視図である。
【図１２】電子レンジ用ドアスイッチの電気回路図である。
【図１３】電子レンジ用ドアスイッチのタイムチャートである。
【図１４】他の実施の形態のスイッチベースにケース本体を代用させた状態を示す分解斜視図である。
【図１５】他の実施の形態のスイッチベースにケースカバーを代用させた状態を示す分解斜視図である。
【図１６】本発明の第２実施形態の高周波加熱装置に用いられる電子レンジ用ドアスイッチを一方の面から見た外観斜視図である。
【図１７】図１６の電子レンジ用ドアスイッチを他方の面から見た外観斜視図である。
【図１８】図１６に示した電子レンジ用ドアスイッチの分解斜視図である。
【図１９】図１７に示した電子レンジ用ドアスイッチの分解斜視図である。
【図２０】図１６に示した電子レンジ用ドアスイッチにおけるメインスイッチの断面図である。
【図２１】回路構成における不具合例である。
【図２２】本発明の回路構成図である。
【図２３】（ａ）〜（ｃ）は第２実施形態の動作説明図である。
【図２４】（ａ）〜（ｃ）は第２実施形態の動作説明図である。
【図２５】（ａ）〜（ｄ）は第２実施形態の動作説明図である。
【符号の説明】
【０１４１】
１１，１４１，１５１，２００  電子レンジ用ドアスイッチ
１３，１４４          スイッチユニット
１５                  スイッチケース
１６，１４６，１５５  第１傾動レバー
２４                  第２傾動レバー
１４３                スイッチ収納部
１５３                カバー部
２０１                スイッチ取付板
２０２                スイッチユニット
２０３                第１レバー
２０４                第２レバー
２０５                メインスイッチ（スイッチ）
２０７，２０８        回転軸
２１６                スイッチカバー
２３７                鍔
２３８                グリス溜り
２４０                突起部
２５０                信号スイッチ（スイッチ）
２５３                ショートスイッチ（スイッチ）
Ｃ１，Ｃ２            カム
ＳＷ１                ラッチスイッチ
ＳＷ２                モニタスイッチ
ＳＷ３                ドアスイッチ
【手続補正３】
【補正対象書類名】図面
【補正対象項目名】全図
【補正方法】変更
【補正の内容】
【図１】
2004102075.tif 000028
【図２】
2004102075.tif 000029
【図３】
2004102075.tif 000030
【図４】
2004102075.tif 000031
【図５】
2004102075.tif 000032
【図６】
2004102075.tif 000033
【図７】
2004102075.tif 000034
【図８】
2004102075.tif 000035
【図９】
2004102075.tif 000036
【図１０】
2004102075.tif 000037
【図１１】
2004102075.tif 000038
【図１２】
2004102075.tif 000039
【図１３】
2004102075.tif 000040
【図１４】
2004102075.tif 000041
【図１５】
2004102075.tif 000042
【図１６】
2004102075.tif 000043
【図１７】
2004102075.tif 000044
【図１８】
2004102075.tif 000045
【図１９】
2004102075.tif 000046
【図２０】
2004102075.tif 000047
【図２１】
2004102075.tif 000048
【図２２】
2004102075.tif 000049
【図２３】
2004102075.tif 000050
【図２４】
2004102075.tif 000051
【図２５】
2004102075.tif 000052
【国際調査報告】
2004102075.tif 000053
2004102075.tif 000054
2004102075.tif 000055
2004102075.tif 000056
2004102075.tif 000057
2004102075.tif 000058
2004102075.tif 000059